(57)【要約】【課題】本発明は、移動端末機及びその制御方法を提供する。【解決手段】本発明に係る移動端末機及びその制御方法は、少なくとも１つの揺れ動作が感知された場合、ディスプレイ部に表示される画面、揺れ動作の方向、及び揺れ動作の感知回数のうち、少なくとも１つを考慮して、対応する特定の機能を実行し、特定の機能を実行した結果の画面を表示することができる。本発明に係れば、端末機を振る動作に応じて、互いに異なる結果画面を提供することにより、ユーザの興味を誘発し、端末機を振る動作だけで、特定の機能を実行することができるので、使いやすさを提供することができる。【選択図】図２
2017529636.tif 000002
【特許請求の範囲】
【請求項１】
センシング部と、
ディスプレイ部と、
前記センシング部を通じて少なくとも１つの揺れ動作が感知された場合、前記ディスプレイ部に表示される画面、前記揺れ動作の方向、及び前記揺れ動作の感知回数のうち、少なくとも１つを考慮して、対応する特定の機能を実行し、前記特定の機能を実行した結果の画面を表示するように、前記ディスプレイ部を制御する制御部と、を含む移動端末機。
【請求項２】
前記特定の機能は、クーポンまたはイベントを含む情報の提供、ランチャー（launcher）アプリケーションの実行、コラージュ（collage）アルバムの生成、インストールされたアプリケーションの管理、前記ディスプレイ部に表示される画面のうち少なくとも一部の画面の編集、コラージュアルバムの生成及びアップロード、及び端末機の実行モードの変更のうち、少なくとも１つを含む、請求項１に記載の移動端末機。
【請求項３】
前記制御部は、前記ディスプレイ部に表示される画面に含まれている特定のアイテムの特定の入力が受信され、前記センシング部を通じて前記揺れ動作が感知された場合、前記特定の入力をさらに考慮して、前記対応する特定の機能を決定する、請求項１に記載の移動端末機。
【請求項４】
前記制御部は、前記ディスプレイ部の表示モードが横方向の表示モードであるか、縦方向の表示モードであるかをさらに考慮して、前記対応する特定の機能を決定する、請求項１に記載の移動端末機。
【請求項５】
前記制御部は、前記揺れ動作の加速度の大きさの平均値が基準値以上であるか、基準値未満であるかをさらに考慮して、前記対応する特定の機能を決定する、請求項１に記載の移動端末機。
【請求項６】
前記制御部は、前記揺れ動作の方向が変更された場合、前記揺れ動作の感知回数を初期化する、請求項１に記載の移動端末機。
【請求項７】
前記制御部は、前記揺れ動作の方向を端末機の揺れ軌跡に沿って横方向または縦方向の揺れ動作に区分する、請求項１に記載の移動端末機。
【請求項８】
前記制御部は、前記特定の機能がクーポンまたはイベントを含む情報を提供する機能である場合、前記揺れ動作を受信した時間情報及び端末機の位置情報のうち、少なくとも１つと関連したクーポンを提供する、請求項１に記載の移動端末機。
【請求項９】
前記制御部は、前記揺れ動作の方向に応じて、前記端末機の位置情報に基づいて、特定の方向の位置情報に係る情報をフィルタリングして提供する、請求項８に記載の移動端末機。
【請求項１０】
前記制御部は、前記揺れ動作の方向に応じて、前記端末機の位置情報に基づいて、設定された半径に含まれる位置情報に係る情報をフィルタリングして提供する、請求項８に記載の移動端末機。
【請求項１１】
前記制御部は、前記特定の機能がコラージュ（collage）アルバムの生成機能の場合、前記揺れ動作の感知回数に応じて選択する写真の枚数、フレーム、写真の配置順序、及び選択する写真のうち、少なくとも１つを変更して、コラージュアルバムを生成する、請求項１に記載の移動端末機。
【請求項１２】
前記制御部は、前記特定の機能がコラージュ（collage）アルバムの生成機能の場合、前記揺れ動作を受信した時間情報及び端末機の位置情報のうち、少なくとも１つに関連した写真を選択して、コラージュアルバムを生成する、請求項１に記載の移動端末機。
【請求項１３】
前記制御部は、前記生成されたコラージュアルバムの表示モードに応じて、複数のフレームまたは複数の編集メニューのいずれかを、前記生成されたコラージュアルバムと一緒に表示する、請求項１１に記載の移動端末機。
【請求項１４】
前記制御部は、前記複数のアルバムフレームが表示され、前記揺れ動作が感知された場合、前記生成されたコラージュアルバムのフレームを変更する、請求項１３に記載の移動端末機。
【請求項１５】
前記制御部は、前記複数の編集メニューの特定の編集メニューが選択され、前記揺れ動作が感知された場合、前記生成されたコラージュアルバムを前記特定の編集メニューで編集したコラージュアルバムを表示する、請求項１３に記載の移動端末機。
【請求項１６】
前記制御部は、前記特定の機能がインストールされたアプリケーション管理機能の場合、前記揺れ動作の検出回数に応じて、前記インストールされたアプリケーションの未使用期間、メモリ使用量、及び実行回数のうち、少なくとも１つに基づいてフィルタリングを実行する、請求項１に記載の移動端末機。
【請求項１７】
前記制御部は、前記特定の機能が端末機の実行モードの変更である場合、前記揺れ動作の種類に応じて前記端末機の実行モードをゲストモード（guest mode）または通常モード（normal mode）から選択する、請求項１に記載の移動端末機。
【請求項１８】
前記制御部は、第１入力を受信する場合、前記少なくとも１つの揺れ動作を感知するように前記センシング部を有効にして、第２入力を受信する場合、前記センシング部を非活性化するように制御する、請求項１に記載の移動端末機。
【請求項１９】
前記制御部は、前記ディスプレイ部がオフ（off）され、前記センシング部により揺れ動作を感知する場合、前記特定の機能をバックグラウンドで実行し、前記ディスプレイ部のロック画面（lock screen）に前記特定の機能を実行した結果の画面を表示する、請求項１に記載の移動端末機。
【請求項２０】
少なくとも１つの揺れ動作を感知するステップと、
ディスプレイ部に表示される画面、前記揺れ動作の方向、及び前記揺れ動作の感知回数のうち、少なくとも１つを考慮して、対応する特定の機能を実行するステップと、
前記特定の機能を実行した結果の画面を表示するステップと、を含む移動端末機の制御方法。
【発明の詳細な説明】
【技術分野】
【０００１】
本発明は、端末機の揺れ動作を感知して、様々な機能を実行する移動端末機及びその制御方法に関する。
【背景技術】
【０００２】
端末機は、移動が可能であるか否かに応じて、移動端末機（mobile／ portable terminal）と固定端末機（stationary terminal）に分けられる。移動端末機は更に、ユーザが直接携帯可能であるか否かに応じて、携帯（型）端末機（handheld terminal）と据置型端末機（vehicle mounted terminal）に分けられる。
【０００３】
移動端末機の機能は多様化している。例えば、データと音声通信、カメラによる写真撮影やビデオ撮影、音声録音、スピーカーシステムを通じた音楽ファイルの再生とディスプレイ部に画像やビデオを出力する機能がある。一部の端末機は、電子ゲームプレーヤー機能が追加され、又、マルチメディアプレーヤー機能を実行する。特に最近の移動端末機は、放送やビデオやテレビ番組のような視覚的なコンテンツを提供するマルチキャスト信号を受信することができる。
【０００４】
このような端末機は、機能が多様化することに伴い、例えば、写真や動画の撮影、音楽や動画ファイルの再生、ゲーム、放送の受信などの複合的な機能を備えたマルチメディア機器（Multimedia player）の形で実現されている。
【０００５】
このような端末機の機能支持と増大のために、端末機の構造的な部分及び／またはソフトウェア的な部分を改良することが考慮されることがある。
【０００６】
特に、端末機の内部には、端末機に係る情報を感知することができる様々なセンサが備えられており、様々なセンサが感知した情報を用いて、ユーザの興味を誘発し、さまざまな情報を提供する方法の研究が試みされている。
【発明の概要】
【発明が解決しようとする課題】
【０００７】
本発明の目的は、前述した問題やその他の問題を解決することにある。本発明の他の目的は、少なくとも１つの揺れ動作が感知された場合、ディスプレイ部に表示される画面、揺れ動作の方向、及び揺れ動作の感知回数のうち、少なくとも１つを考慮して対応する特定の機能を実行し、特定の機能を実行した結果画面を表示することができるようにする移動端末機及びその制御方法を提供することにある。
【課題を解決するための手段】
【０００８】
前記目的または他の目的を達成するために、本発明の一側面に係れば、センシング部と、ディスプレイ部と、前記センシング部を通じて少なくとも１つの揺れ動作が感知された場合、前記ディスプレイ部に表示される画面、前記揺れ動作の方向、及び前記揺れ動作の感知回数のうち、少なくとも１つを考慮して、対応する特定の機能を実行し、前記の特定の機能を実行した結果の画面を表示するように、前記ディスプレイ部を制御する制御部と、を含む移動端末機を提供する。
【０００９】
また、本発明の他の側面に係れば、少なくとも１つの揺れ動作を感知するステップ、ディスプレイ部に表示された画面、前記揺れ動作の方向、及び前記揺れ動作の感知回数のうち、少なくとも１つを考慮して対応する特定の機能を実行するステップ、及び前記特定の機能を実行した結果の画面を表示するステップを含む移動端末機の制御方法を提供する。
【発明の効果】
【００１０】
本発明に係る移動端末機及びその制御方法の効果は次の通りである。
本発明の実施の形態のうち、少なくとも１つに係れば、揺れ動作を介して様々な機能を実行し、結果画面を表示することにより、ユーザの興味を誘発することができるという長所がある。
【００１１】
また、本発明の実施の形態のうち、少なくとも１つによれば、揺れ動作の方向、揺れ動作の感知回数、または揺れ動作の強さに応じて、異なる結果画面を表示することができるという長所がある。
【００１２】
また、本発明の実施の形態のうち、少なくとも１つに係れば、端末機から獲得したコンテキスト（context）情報を結合して揺れ動作に対応する結果画面を生成することにより、状況に適した機能を選択的に行うことができるという長所がある。
【００１３】
本発明の適用可能性の追加的な範囲は、以下の詳細な説明から明らかになる。しかし、本発明の思想及び範囲内で様々な変更及び修正は、当業者に明確に理解することができるので、詳細な説明及び本発明の好ましい実施の形態のような特定の実施の形態は、単に例示で与えられたものと理解されるべきである。
【図面の簡単な説明】
【００１４】
【図１Ａ】本発明に係る移動端末機を説明するためのブロック図である。
【図１Ｂ】本発明に係る移動端末機の一例を互いに異なる方向から見た概念図である。
【図１Ｃ】本発明に係る移動端末機の一例を互いに異なる方向から見た概念図である。
【図２】本発明に係る移動端末機の制御方法に係るフローチャートである。
【図３】本発明に係る移動端末機の制御方法を説明するための図である。
【図４】本発明に係る移動端末機の制御方法の第１の実施の形態に係るフローチャートである。
【図５】本発明に係る移動端末機の制御方法の第１の実施の形態を説明するための図である。
【図６】本発明に係る移動端末機の制御方法の第１の実施の形態を説明するための図である。
【図７】本発明に係る移動端末機の制御方法の第１の実施の形態を説明するための図である。
【図８】本発明に係る移動端末機の制御方法の第２の実施の形態に係るフローチャートである。
【図９】本発明に係る移動端末機の制御方法の第２の実施の形態を説明するための図である。
【図１０】本発明に係る移動端末機の制御方法の第２の実施の形態を説明するための図である。
【図１１】本発明に係る移動端末機の第３の実施の形態に係るフローチャートである。
【図１２】本発明に係る移動端末機の第３の実施の形態を説明するための図である。
【図１３】本発明に係る移動端末機の第３の実施の形態を説明するための図である。
【図１４】本発明に係る移動端末機の第３の実施の形態を説明するための図である。
【図１５】本発明に係る移動端末機の第４の実施の形態に係るフローチャートである。
【図１６】本発明に係る移動端末機の第４の実施の形態を説明するための図である。
【図１７】本発明に係る移動端末機の第４の実施の形態を説明するための図である。
【図１８】本発明に係る移動端末機の第４の実施の形態を説明するための図である。
【図１９】本発明に係る移動端末機の第４の実施の形態を説明するための図である。
【図２０】本発明に係る移動端末機の制御方法の第５実施の形態を説明するためのフローチャートである。
【図２１】本発明に係る移動端末機の第５の実施の形態を説明するための図である。
【図２２】本発明に係る移動端末機の第５の実施の形態を説明するための図である。
【図２３】本発明に係る移動端末機の第５の実施の形態を説明するための図である。
【図２４】本発明に係る移動端末機の第５の実施の形態を説明するための図である。
【図２５】本発明に係る移動端末機の第５の実施の形態を説明するための図である。
【図２６】本発明に係る移動端末機の第６の実施の形態を説明するためのフローチャートである。
【図２７】本発明に係る移動端末機の第６の実施の形態を説明するための図である。
【図２８】本発明に係る移動端末機の第６の実施の形態を説明するための図である。
【図２９】本発明に係る移動端末機の第６の実施の形態を説明するための図である。
【発明を実施するための形態】
【００１５】
以下、添付された図面を参照して、本明細書に開示された実施の形態を詳細に説明するが、図面符号に関係なく、同一または類似の構成要素には、同じ参照番号を付与し、これに対する重複される説明は省略することにする。以下の説明で用いられる構成要素の接尾辞「モジュール」と「部」は、明細書作成の容易さだけが考慮されて付与されるか、または混用されるものであって、それ自体で区別される意味または役割を有するものではない。また、本明細書に開示された実施の形態を説明するにあたって、関連した公知技術に対する具体的な説明が本明細書に開示された実施の形態の要旨を曖昧にする可能性があると判断される場合、その詳細な説明を省略する。また、添付された図面は、本明細書に開示された実施の形態を容易に理解できるようにするためのものだけであり、添付された図面によって本明細書に開示された技術的思想が制限されるものではなく、本発明の思想及び技術範囲に含まれるすべての変更、均等物ないし代替物が含まれるものと理解されるべきである。
【００１６】
第１、第２などのように序数を含む用語は、様々な構成要素を説明するために用いられ得るが、前記の構成要素は、前記用語によっては限定されない。前記の用語は、１つの構成要素を他の構成要素から区別する目的でのみ用いられる。
【００１７】
ある構成要素が他の構成要素に「繋がれて」いるとか、「接続されて」いると言及されたときには、その他の構成要素に直接連結されているか、または接続されている場合もあるが、中間に他の構成要素が存在することもあると理解しければならない。一方、ある構成要素が他の構成要素に「直接繋がれて」いるとか、「直接接続されて」いると言及されたときには、中間に他の構成要素が存在しないものと理解すべきである。
【００１８】
単数の表現は、文脈上明らかに異なる意味を有する限り、複数の表現を含む。
【００１９】
本出願において、「含む」または「有する」などの用語は、明細書上に記載された特徴、数字、段階、動作、構成要素、部品、またはこれらを組み合わせたものが存在することを指定しようとするものであって、一つまたはそれ以上の他の特徴や数字、段階、動作、構成要素、部品、またはこれらを組み合わせたものの存在または他の特徴や数字、段階、動作、構成要素、部品、またはこれらを組み合わせたものの存在または付加可能性を予め排除しないものと理解されるべきである。
【００２０】
本明細書において説明される移動端末機には、携帯電話、スマートフォン（smart phone）、ラップトップコンピュータ（laptop computer）、デジタル放送用端末機、ＰＤＡ（personal digital assistants）、ＰＭＰ（portable multimedia player）、ナビゲーション、スレートＰＣ（slate ＰＣ）、タブレットＰＣ（tablet ＰＣ）、ウルトラブック（ultrabook）、ウェアラブルデバイス（wearable device）、例えば、ウォッチ型端末機（smartwatch）、グラス型端末機（smart glass）、ＨＭＤ（head mounted display））などが含まれることがある。
【００２１】
しかし、本明細書に記載された実施の形態に係る構成は、移動端末機にのみ適用可能な場合を除外すれば、デジタルＴＶ、デスクトップコンピュータ、デジタルサイネージなどの固定端末機にも適用されることもあることを、本技術分野の当業者であれば容易に知ることができる。
【００２２】
図１Ａ〜図１Ｃを参照すると、図１Ａは、本発明に係る移動端末機を説明するためのブロック図であり、図１Ｂ及び図１Ｃは、本発明に係る移動端末機の一例を互いに異なる方向から見た概念図である。
【００２３】
前記移動端末機１００は、無線通信部１１０、入力部１２０、センシング部１４０、出力部１５０、インタフェース部１６０、メモリ１７０、制御部１８０及び電源供給部１９０などを含むことができる。図１Ａに示された構成要素は、移動端末機を実現する上で必要不可欠なわけではなく、本明細書で説明される移動端末機は、前記に挙げられた構成要素より多いか、または少ない構成要素を有することができる。
【００２４】
さらに具体的には、前記の構成要素の内、無線通信部１１０は、移動端末機１００と無線通信システムとの間、移動端末機１００と他の移動端末機１００との間、または移動端末機１００と外部サーバとの間の無線通信を可能にする１つ以上のモジュールを含むことができる。また、前記無線通信部１１０は、移動端末機１００を１つ以上のネットワークに接続する１つ以上のモジュールを含むことができる。
【００２５】
このような無線通信部１１０は、放送受信モジュール１１１、移動通信モジュール１１２、無線インターネットモジュール１１３、近距離通信モジュール１１４、位置情報モジュール１１５のうち、少なくとも１つを含むことができる。
【００２６】
入力部１２０は、映像信号の入力のためのカメラ１２１または映像入力部、オーディオ信号入力のためのマイクロフォン（microphone）１２２またはオーディオ入力部、ユーザからの情報の入力を受けるためのユーザ入力部１２３（例えば、タッチキー（touch key）、メカニカルキー（mechanical key）など）を含むことができる。入力部１２０から収集した音声データや画像データは、分析され、ユーザの制御コマンドで処理することができる。
【００２７】
センシング部１４０は、移動端末機内の情報、移動端末機を取り囲む周辺環境の情報、及びユーザ情報のうち、少なくとも１つをセンシングするための一つ以上のセンサを含むことができる。たとえば、センシング部１４０は、近接センサ（proximity sensor）１４１、照度センサ（illumination sensor）１４２、タッチセンサ（touch sensor）、加速度センサ（acceleration sensor）、磁気センサ（magnetic sensor）、重力センサ（Ｇ-sensor）、ジャイロスコープセンサ（gyroscope sensor）、モーションセンサ（motion sensor）、ＲＧＢセンサ、赤外線センサ（ＩＲセンサ：infrared sensor）、指紋認識センサ（finger scan sensor）、超音波センサ（ultrasonic sensor）、光センサ（optical sensor）（例えば、カメラ１２１、マイクロフォン（microphone）１２２参照）、バッテリーゲージ（battery gauge）、環境センサ（例えば、気圧計、湿度計、温度計、放射能感知センサ、熱感知センサ、ガス感知センサ等）、化学センサ（例えば、電子鼻、ヘルスケアセンサ、バイオセンサなど）のうち、少なくとも１つを含むことができる。一方、本明細書に開示された移動端末機は、このようなセンサのうち、少なくとも２つ以上のセンサでセンシングされる情報を組み合わせて活用することができる。
【００２８】
出力部１５０は、視覚、聴覚、または触覚などに係る出力を発生させるためのもので、ディスプレイ部１５１、音声出力部１５２、ハプティックモジュール１５３、光出力部１５４のうち、少なくとも１つを含むことができる。ディスプレイ部１５１は、タッチセンサと相互層構造を成し又は一体型に形成されることで、タッチスクリーンを実現することができる。このようなタッチスクリーンは、移動端末機１００とユーザとの間の入力インタフェースを提供するユーザ入力部１２３として機能するとともに、移動端末機１００とユーザとの間の出力インタフェースを提供することができる。
【００２９】
インタフェース部１６０は、移動端末機１００に接続される様々な種類の外部機器との経路の役割を果たす。このようなインタフェース部１６０は、有／無線ヘッドセットポート（port）、外部充電器ポート（port）、有／無線データポート（port）、メモリカード（memory card）ポート、識別モジュールが備えられた装置を接続するポート（port）、オーディオＩ／Ｏ（Input／Output）ポート（port）、ビデオＩ／Ｏ（Input／Output）ポート（port）、イヤホンポート（port）のうち、少なくとも１つを含むことができる。移動端末機１００では、前記インタフェース部１６０に外部機器が接続されることに対応して、接続された外部機器に係る適切な制御を行うことができる。
【００３０】
また、メモリ１７０は、移動端末機１００の様々な機能をサポートするデータを記憶する。メモリ１７０は、移動端末機１００で実行される複数の応用プログラム（application  programまたはアプリケーション（Application））、移動端末機１００の動作のためのデータ、命令語を記憶することができる。このようなアプリケーションのうち少なくとも一部は、無線通信を介して外部サーバからダウンロードすることができる。また、このようなアプリケーションのうち少なくとも一部は、移動端末機１００の基本的な機能（例えば、電話発着信機能、メッセージの送受信機能）のために工場出荷当時から移動端末機１００上に存在することができる。
【００３１】
一方、アプリケーションは、メモリ１７０に記憶され、移動端末機１００上にインストールされて、制御部１８０によって、前記移動端末機の動作（または機能）を実行するように実行することができる。
【００３２】
制御部１８０は、前記アプリケーションに係る動作以外にも、通常は移動端末機１００の全体的な動作を制御する。制御部１８０は、上に詳述した構成要素を介して入力または出力される信号、データ、情報等を処理し、又、メモリ１７０に記憶されたアプリケーションを実行することにより、ユーザに適切な情報または機能を提供または処理することができる。
【００３３】
また、制御部１８０は、メモリ１７０に記憶されたアプリケーションを実行するために、図１Ａと共に詳しく見た構成要素のうち、少なくとも一部を制御することができる。さらに、制御部１８０は、前記アプリケーションの実行のために、移動端末機１００に含まれた構成要素のうち、少なくとも２つ以上を互いに組み合わせて動作させることができる。
【００３４】
電源供給部１９０は、制御部１８０の制御下において、外部の電源、内部の電源の印加を受けて移動端末機１００に含まれる各構成要素に電源を供給する。このような電源供給部１９０は、バッテリーを含み、前記バッテリーは内蔵型バッテリーまたは差し替え可能な形態のバッテリーであってよい。
【００３５】
前記各構成要素のうち、少なくとも一部は、以下に説明される様々な実施の形態に係る移動端末機の動作、制御、または制御方法を実現するために互いに協力して動作することができる。また、前記移動端末機の動作、制御、または制御方法は、前記メモリ１７０に記憶された少なくとも１つのアプリケーションの実行によって移動端末機上で実現することができる。
【００３６】
以下では、上に詳述した移動端末機１００を介して実現される様々な実施の形態を説明する前に、前記列挙された構成要素について図１Ａを参照して、さらに具体的に説明する。
【００３７】
まず、無線通信部１１０について詳述すると、無線通信部１１０の放送受信モジュール１１１は、放送チャンネルを介して外部の放送管理サーバから放送信号及び／または放送関連情報を受信する。前記放送チャンネルは、衛星放送チャンネル、地上波チャンネルを含むことができる。少なくとも２つの放送チャンネルの同時放送受信または放送チャネルスイッチングのために、２つ以上の前記放送受信モジュールを前記移動端末機１００に備えることができる。
【００３８】
移動通信モジュール１１２は、移動通信のための技術標準または通信方式（例えば、ＧＳＭ（登録商標）（Global System for Mobile communication）、ＣＤＭＡ（Code Division Multi Access）、ＣＤＭＡ２０００（Code Division Multi Access2000）、ＥＶ−ＤＯ（Enhanced Voice-Data Optimized or Enhanced Voice-Data Only）、ＷＣＤＭＡ（登録商標）（Wideband ＣＤＭＡ）、ＨＳＤＰＡ（High Speed Downlink Packet Access）、ＨＳＵＰＡ（High Speed Uplink Packet Access）、ＬＴＥ（Long Term Evolution）、ＬＴＥ−Ａ （Long Term Evolution-Advanced）など）に応じて、構築された移動通信網上で基地局、外部の端末、及びサーバのうち、少なくとも１つと無線信号を送受信する。
【００３９】
前記無線信号は、音声呼信号、ビデオ通話呼信号または文字／マルチメディアメッセージの送受信による様々な形態のデータを含むことができる。
【００４０】
無線インターネットモジュール１１３は、無線インターネット接続のためのモジュールを意味し、移動端末機１００に内蔵され、または、外付けされることができる。無線インターネットモジュール１１３は、無線インターネット技術に係るネットワークにおける無線信号を送受信するように構成される。
【００４１】
無線インターネット技術においては、例えば、ＷＬＡＮ（Wireless ＬＡＮ）、Ｗｉ−Ｆｉ（Wireless-Fidelity）、Ｗｉ−Ｆｉ（Wireless Fidelity）Ｄｉｒｅｃｔ、ＤＬＮＡ（Digital Living Network Alliance）、ＷｉＢｒｏ（Wireless Broadband）、ＷｉＭＡＸ（WorldInteroperability for Microwave Access）、ＨＳＤＰＡ（High Speed Downlink Packet Access）、ＨＳＵＰＡ（High Speed Uplink Packet Access）、ＬＴＥ（Long Term Evolution）、ＬＴＥ−Ａ（Long Term Evolution-Advanced）などがあり、前記無線インターネットモジュール１１３は、前記で羅列されないインターネット技術まで含めた範囲の少なくとも１つの無線インターネット技術に基づいてデータを送受信することになる。
【００４２】
ＷｉＢｒｏ、ＨＳＤＰＡ、ＨＳＵＰＡ、ＧＳＭ（登録商標）、ＣＤＭＡ、ＷＣＤＭＡ（登録商標）、ＬＴＥ、ＬＴＥ−Ａ等による無線インターネット接続は、移動通信網を介して行われる観点から見ると、前記移動通信網を介して無線インターネット接続を実行する前記無線インターネットモジュール１１３は、前記移動通信モジュール１１２の一種として理解することもできる。
【００４３】
近距離通信モジュール１１４は、近距離通信（Short range communication）のためのものであり、ブルートゥース（Bluetooth（登録商標））、ＲＦＩＤ（Radio Frequency Identification）、赤外線通信（Infrared Data Association; ＩｒＤＡ）、ＵＷＢ（Ultra Wideband）、ＺｉｇＢｅｅ、ＮＦＣ（Near Field Communication）、Ｗｉ−Ｆｉ（Wireless-Fidelity）、Ｗｉ−Ｆｉ Direct、Wireless ＵＳＢ（Wireless Universal Serial Bus）技術のうち、少なくとも１つを用いて、近距離通信をサポートすることができる。このような、近距離通信モジュール１１４は、近距離無線通信網（Wireless Area Networks）を介して移動端末機１００と無線通信システムとの間、移動端末機１００と他の移動端末機１００との間、または移動端末機１００と他の移動端末機１００（または外部サーバ）が位置するネットワークとの間の無線通信をサポートすることができる。前記近距離無線通信網は、近距離無線個人エリアネットワーク（Wireless Personal Area Networks）で有り得る。
【００４４】
ここにおいて、他の移動端末機１００は、本発明に係る移動端末機１００とデータを交換することが可能な（または連動可能な）ウェアラブルデバイス（wearable device、例えば、スマートウォッチ（smartwatch）、スマートグラス（smart glass）、ＨＭＤ（head mounted display））であってよい。近距離通信モジュール１１４は、移動端末機１００の周りに、前記移動端末機１００と通信可能なウェアラブルデバイスを感知（または認識）することができる。さらに、制御部１８０は、前記感知されたウェアラブルデバイスが、本発明に係る移動端末機１００と通信するように認証されたデバイスである場合、移動端末機１００で処理されるデータの少なくとも一部を、前記近距離通信モジュール１１４を介してウェアラブルデバイスに伝送することができる。したがって、ウェアラブルデバイスのユーザは、移動端末機１００で処理されるデータを、ウェアラブルデバイスを介して用いることができる。たとえば、これによれば、ユーザは、移動端末機１００が電話を受信した場合、ウェアラブルデバイスを介して通話を行い、又、移動端末機１００がメッセージを受信した場合、ウェアラブルデバイスを介して前記受信されたメッセージを確認することが可能である。
【００４５】
位置情報モジュール１１５は、移動端末機の位置（または現在の位置）を獲得するためのモジュールであり、その代表的な例としては、ＧＰＳ（Global Positioning System）モジュールまたはＷｉＦｉ（Wireless Fidelity）モジュールがある。たとえば、移動端末機は、ＧＰＳモジュールを活用すれば、ＧＰＳ衛星から送信される信号を用いて、移動端末機の位置を獲得することができる。別の例として、移動端末機は、Ｗｉ−Ｆｉモジュールを活用すれば、Ｗｉ−Ｆｉモジュールと無線信号を送信または受信する無線ＡＰ（Wireless Access Point）の情報に基づいて、移動端末機の位置を獲得することができる。必要に応じて、位置情報モジュール１１５は、置換又は付加的に移動端末機の位置に関するデータを取得するために、無線通信部１１０の他のモジュールの内、いずれかの機能を実行することができる。位置情報モジュール１１５は、移動端末機の位置（または現在の位置）を獲得するために用いられるモジュールとして、移動端末機の位置を直接計算するか、または獲得するモジュールに限定されない。
【００４６】
次に、入力部１２０は、映像情報（または信号）、オーディオ情報（または信号）、データ、またはユーザから入力される情報の入力のためのものであり、映像情報の入力のために、移動端末機１００は、一つまたは複数のカメラ１２１を備えることができる。カメラ１２１は、ビデオ通話モードまたは撮影モードで画像センサにより得られる静止画または動画などの画像フレームを処理する。処理された画像フレームは、ディスプレイ部１５１に表示されるかメモリ１７０に記憶することができる。一方、移動端末機１００に備えられる複数のカメラ１２１は、マトリックス構造をなすように配置することができ、このようにマトリックス構造をなすカメラ１２１を介して、移動端末機１００には、様々な角度または焦点を有する複数の映像情報が入力されることができる。また、複数のカメラ１２１は、立体映像を実現するための左映像及び右映像を獲得するように、ステレオ構造で配置することができる。
【００４７】
マイクロフォン１２２は、外部の音響信号を電気的な音声データに処理する。処理された音声データは、移動端末機１００で実行されている機能（または実行中のアプリケーション）に応じて多様に活用することができる。一方、マイクロフォン１２２には、外部の音響信号の入力を受ける過程で発生するノイズ（noise）を除去するための様々なノイズ除去アルゴリズムが実現されることがある。
【００４８】
ユーザ入力部１２３は、ユーザからの情報の入力を受けるためのものであり、ユーザ入力部１２３を介して情報が入力されると、制御部１８０は、入力された情報に対応するように移動端末機１００の動作を制御することができる。このような、ユーザ入力部１２３は、機械式（mechanical）入力手段（または、メカニカルキー、例えば、移動端末機１００の前／背面または側面に位置するボタン、ドームスイッチ（dome switch）、ジョグホイール、ジョグスイッチなど）とタッチ式入力手段を含むことができる。一例として、タッチ式入力手段は、ソフトウェア的な処理を介して、タッチスクリーンに表示される仮想キー（virtual key）、ソフトキー（soft key）またはビジュアルキー（visual key）で行われ、又、前記タッチスクリーン以外の部分に配置されるタッチキー（touch key）で行うことができる。一方、前記仮想キーまたはビジュアルキーは、様々な形態を有しながら、タッチスクリーン上に表示されることが可能であり、例えば、グラフィックス（graphic）、テキスト（text）、アイコン（icon）、ビデオ（video）またはこれらの組み合わせで行うことができる。
【００４９】
一方、センシング部１４０は、移動端末機内の情報、移動端末機を取り囲んだ周辺環境の情報、及びユーザ情報のうち、少なくとも１つをセンシングし、これに対応するセンシング信号を発生させる。制御部１８０は、このようなセンシング信号に基づいて、移動端末機１００の実行または動作を制御し、又、移動端末機１００にインストールしたアプリケーションに係るデータ処理、機能、または動作を実行することができる。センシング部１４０に含めることができる様々なセンサの内、代表的なセンサに対して、さらに具体的に詳述する。
【００５０】
まず、近接センサ１４１は、所定の検出面に接近する物体、あるいは周辺に存在する物体の有無を電磁界の力または赤外線などを用いて、機械的接触なしに検出するセンサをいう。このような近接センサ１４１は、上で詳述したタッチスクリーンによって包み込まれる移動端末機の内部領域又は前記タッチスクリーンの近くに配置されることができる。
【００５１】
近接センサ１４１の例としては、透過型光電センサ、直接反射型光電センサ、ミラー反射型光電センサ、高周波発振型近接センサ、静電容量型近接センサ、磁気型近接センサ、赤外線近接センサなどがある。タッチスクリーンが静電式の場合に、近接センサ１４１は、導電性を有する物体の近接に伴う電界の変化に前記物体の近接を検出するように構成することができる。この場合、タッチスクリーン（またはタッチセンサ）自体が近接センサに分類することができる。
【００５２】
一方、説明の便宜のために、タッチスクリーン上に物体が接触されずに近接され、前記物体が前記タッチスクリーン上に位置するのが認識されるようにする行為を「近接タッチ（proximity touch）」と命名し、前記タッチスクリーン上に物体が実際に接触する行為を「接触タッチ（contact touch）」と命名する。前記タッチスクリーン上で物体が近接タッチされる位置とは、前記物体が近接タッチされるとき、前記物体が前記タッチスクリーンについて垂直に対応する位置を意味する。前記近接センサ１４１は、近接タッチと、近接タッチパターン（例えば、近接タッチ距離、近接タッチ方向、及び近接タッチ速度、及び近接タッチ時間、近接タッチ位置、及び近接タッチ移動状態など）を感知することができる。
【００５３】
一方、制御部１８０は、前記のように、近接センサ１４１を介して感知された近接タッチ動作及び近接タッチパターンに対応するデータ（または情報）を処理し、さらに、処理されたデータに対応する視覚的な情報をタッチスクリーン上に出力させることができる。
【００５４】
さらに、制御部１８０は、タッチスクリーン上の同じ地点のタッチが、近接タッチであるか、または接触タッチであるかに応じて、互いに異なる動作またはデータ（または情報）が処理されるように移動端末機１００を制御することができる。
【００５５】
タッチセンサは、抵抗膜方式、静電容量方式、赤外線方式、超音波方式、磁気場方式など、様々なタッチ方式のうち、少なくとも１つを用いて、タッチスクリーン（またはディスプレイ部１５１）に加えられるタッチ（またはタッチ入力）を感知する。
【００５６】
一例として、タッチセンサは、タッチスクリーンの特定の部位に加えられた圧力または特定の部位に発生する静電容量などの変化を電気的な入力信号に変換するように構成することができる。タッチセンサは、タッチスクリーン上にタッチを加えるタッチ対象体がタッチセンサ上にタッチされる位置、面積、タッチ時の圧力、タッチ時の静電容量などを検出することができるように構成することができる。ここで、タッチ対象体は、前記タッチセンサにタッチを印加する物体として、例えば、指、タッチペンやスタイラスペン（Stylus pen）、ポインタなどになることができる。
【００５７】
このように、タッチセンサのタッチ入力がある場合、それに対応する信号は、タッチ制御機器に送られる。タッチ制御機器は、その信号を処理した後、対応するデータを制御部１８０に伝送する。これにより、制御部１８０は、ディスプレイ部１５１のいずれかの領域がタッチされたかどうかなどを知ることができるようになる。ここで、タッチ制御機器は、制御部１８０とは別の構成要素であり得、制御部１８０自体で有り得る。
【００５８】
一方、制御部１８０は、タッチスクリーン（またはタッチスクリーン以外に備えたタッチキー）をタッチする、タッチ対象体の種類に応じて互いに異なる制御を実行するか、同じ制御を行うことができる。タッチ対象体の種類に応じて互いに異なる制御を実行するか、または同じ制御を実行するかは、現在の移動端末機１００の動作状態または実行中のアプリケーションに応じて決定することができる。
【００５９】
一方、上で注意深く見たタッチセンサ及び近接センサは、独立して、または組み合わされて、タッチスクリーンのショット（またはタブ）タッチ（short touch）、ロングタッチ（long touch）、マルチタッチ（multi touch）、ドラッグタッチ（drag touch）、フリックタッチ（flick touch）、ピンチ-インタッチ（pinch-in touch）、ピンチ-アウトタッチ（pinch-outタッチ）、スワイプ（swype）タッチ、ホバリング（hovering）タッチなどのような、様々な方法のタッチをセンシングすることができる。
【００６０】
超音波センサは、超音波を用いて、感知対象の位置情報を認識することができる。一方、制御部１８０は、光センサと、複数の超音波センサから感知される情報を介して、波動発生源の位置を算出することが可能である。波動発生源の位置は、光が超音波より非常に速い性質、すなわち、光が光センサに到達する時間が、超音波が超音波センサに到達する時間より非常に速いことを用いて、算出することができる。さらに具体的には、光を基準信号として超音波が到達する時間との時間差を用いて、波動発生源の位置が算出することができる。
【００６１】
一方、入力部１２０の構成で見た、カメラ１２１は、カメラのセンサ（例えば、ＣＣＤ、ＣＭＯＳなど）、フォトセンサ（または画像センサ）とレーザーセンサのうち、少なくとも１つを含む。
【００６２】
カメラ１２１とレーザーセンサは、互いに組み合わされ、３次元立体映像の感知対象のタッチを感知することができる。フォトセンサは、ディスプレイ素子に積層されることがあり、このようなフォトセンサは、タッチスクリーンに近い感知対象の動きをスキャンするように行われる。さらに具体的には、フォトセンサは、行／列にフォトダイオード（Photo Diode）とトランジスタ（Transistor）を実装してフォトダイオードに印加される光の量に応じて変化する電気的信号を用いて、フォトセンサの上に上がる内容をスキャンする。つまり、フォトセンサは、光の変化量に応じた感知対象の座標計算を実行し、これにより感知対象の位置情報が獲得されることがある。
【００６３】
ディスプレイ部１５１は、移動端末機１００で処理される情報を表示（出力）する。たとえば、ディスプレイ部１５１は、移動端末機１００で実行されるアプリケーションの実行画面情報、またはこのような実行画面情報に応じたＵＩ（User Interface）、ＧＵＩ（Graphic User Interface）情報を表示することができる。
【００６４】
また、前記ディスプレイ部１５１は、立体映像を表示する立体ディスプレイ部として構成することができる。
【００６５】
前記立体ディスプレイ部には、ステレオスコピック方式（眼鏡方式）、オートステレオスコピック方式（無眼鏡方式）、プロジェクション方式（ホログラフィック方式）などの３次元ディスプレイ方式が適用されることができる。
【００６６】
音響出力部１５２は、呼信号の受信、通話モードまたは録音モード、音声認識モード、放送受信モードなどで、無線通信部１１０から受信したり、メモリ１７０に記憶されたオーディオデータを出力することができる。音響出力部１５２は、移動端末機１００で実行される機能（例えば、呼信号の受信音、メッセージ受信音など）に係る音響信号を出力することもある。このような音響出力部１５２には、レシーバ（receiver）、スピーカー（speaker）、ブザー（buzzer）などが含まれることがある。
【００６７】
ハプティックモジュール（haptic module）１５３は、ユーザが感じることができる、様々な触覚効果を発生させる。ハプティックモジュール１５３が発生させる触覚効果の代表的な例としては、振動がある。ハプティックモジュール１５３から発生する振動の強さとパターンなどは、ユーザの選択または制御部の設定によって制御することができる。たとえば、前記ハプティックモジュール１５３は、たがいに異なる振動を合成して出力したり、順次出力することもできる。
【００６８】
ハプティックモジュール１５３は、振動以外にも、接触皮膚面に対して垂直運動するピン配列、噴射口や吸入口を介する空気の噴射力や吸引力、皮膚表面のかすめ、電極（electrode）の接触、静電気力などの刺激による効果と、吸熱や発熱可能な素子を用いた冷温感再現による効果など、様々な触覚効果を発生させることができる。
【００６９】
ハプティックモジュール１５３は、直接接触を介して触覚効果を伝達することができるだけでなく、ユーザが指や腕などの筋感覚を通じて触覚効果を感じることができるように実現することもできる。ハプティックモジュール１５３は、移動端末機１００の構成の態様に応じて、２つ以上を備えることができる。
【００７０】
光出力部１５４は、移動端末機１００の光源の光を用いて、イベントの発生を知らせるための信号を出力する。移動端末機１００から発生されるイベントの例には、メッセージの受信、呼信号の受信、不在着信、アラーム、日程お知らせ、電子メールの受信、アプリケーションを通じた情報の受信などになることがある。
【００７１】
光出力部１５４が出力する信号は、移動端末機が前面または背面に単色や複数の色の光を発光することにより実現される。前記信号出力は、移動端末機がユーザのイベントの確認を感知することによって終了することができる。
【００７２】
インタフェース部１６０は、移動端末機１００に接続されるすべての外部機器との経路の役割をする。インタフェース部１６０は、外部機器からのデータの伝送を受けたり、電源の供給を受け、移動端末機１００の内部の各構成要素に伝達したり、移動端末機１００の内部のデータが外部機器に伝送されるようにする。たとえば、有／無線ヘッドセットポート（port）、外部充電機ポート（port）、有／無線データポート（port）、メモリカード（memory card）ポート（port）、識別モジュールが備えられた装置を接続するポート（port）、オーディオＩ／Ｏ（Input／Output）ポート（port）、ビデオＩ／Ｏ（Input／Output）ポート（port）、イヤホンポート（port）などがインタフェース部１６０に含まれることができる。
【００７３】
一方、識別モジュールは、移動端末機１００の使用権を認証するための各種の情報を記憶したチップとして、ユーザ認証モジュール（user identify module; ＵＩＭ）、加入者認証モジュール（subscriber identity module; ＳＩＭ）、ユニバーサルユーザ認証モジュール（universal subscriber identity module; ＵＳＩＭ）などを含むことができる。識別モジュールが備えられた装置（以下「識別装置」）は、スマートカード（smart card）の形式で製作することができる。したがって、識別装置は、前記インタフェース部１６０を介して端末機１００と接続することができる。
【００７４】
また、前記インタフェース部１６０は、移動端末機１００が外部クレードル（cradle）と接続するとき、前記クレードルからの電源が、前記移動端末機１００に供給される経路になったり、ユーザにより前記クレードルから入力される各種コマンド信号が前記移動端末機１００に伝達される経路になることができる。前記クレードルから入力される各種コマンド信号または前記電源は、前記移動端末機１００が前記クレードルにしっかり装着されたことを認知するための信号で動作することができる。
【００７５】
メモリ１７０は、制御部１８０の動作のためのプログラムを記憶することができ、入力／出力されるデータ（例えば、電話帳、メッセージ、静止画、動画など）を一時的に記憶することもできる。前記メモリ１７０は、前記タッチスクリーン上のタッチ入力時に出力される様々なパターンの振動と音に関するデータを記憶することができる。
【００７６】
メモリ１７０は、フラッシュメモリタイプ（flash memory type）、ハードディスクタイプ（hard disk type）、ＳＳＤタイプ（Solid State Disk type）、ＳＤＤタイプ（Silicon Disk Drive type）、マルチメディアカード  マイクロタイプ（multimedia card micro type ）、カードタイプのメモリ（例えば、ＳＤまたはＸＤメモリなど）、ラム（random access memory; ＲＡＭ）、ＳＲＡＭ（static random access memory）、ロム（read-only memory; ＲＯＭ）、ＥＥＰＲＯＭ（electrically erasable programmable read-onlymemory）、ＰＲＯＭ（programmable read-only memory）、磁気メモリ、磁気ディスク、及び光ディスクのうち、少なくとも１つのタイプの記憶媒体を含むことができる。移動端末機１００は、インターネット（internet）上で前記メモリ１７０の記憶機能を実行するウェブストレージ（web storage）と関連して動作することもできる。
【００７７】
一方、前述したように、制御部１８０は、アプリケーションに係る動作と、通常は移動端末機１００の全般的な動作を制御する。たとえば、制御部１８０は、前記移動端末機の状態が設定された条件を満たしていると、アプリケーションに対するユーザの制御コマンドの入力を制限するロック状態を実行し、又、解除することができる。
【００７８】
また、制御部１８０は、音声通話、データ通信、ビデオ通話などに係る制御及び処理を実行するか、タッチスクリーン上で行われる手書き入力または絵描きの入力を、それぞれ文字及び画像として認識することができるパターン認識処理を行うことができる。さらに、制御部１８０は、以下で説明される様々な実施の形態を、本発明に係る移動端末機１００上で実現するために、上に詳述した構成要素のうち、いずれか、または複数を組み合わせて制御することができる。
【００７９】
電源供給部１９０は、制御部１８０の制御により、外部の電源、内部の電源の印加を受け、各構成要素の動作に必要な電源を供給する。電源供給部１９０は、バッテリーを含み、バッテリーは充電可能な内蔵型バッテリーであってもよく、充電などのために端末機の本体に着脱可能に結合することができる。
【００８０】
また、電源供給部１９０は、接続ポートを備えることができ、接続ポートは、バッテリーの充電のために電源を供給する外部充電器が電気的に接続されるインタフェース１６０の一例として構成することができる。
【００８１】
別の例として、電源供給部１９０は、前記接続ポートを用いずに無線方式でバッテリーの充電を行うことができる。この場合、電源供給部１９０は、外部の無線電力伝送装置から磁気誘導現象に基づく誘導結合（Inductive Coupling）方式や電磁気的共振現象に基づく共振結合（Magnetic Resonance Coupling）方式のうち、いずれか１つ以上を用いて電力の伝達を受けることができる。
【００８２】
一方、以下の様々な実施の形態は、例えば、ソフトウェア、ハードウェア、またはこれらの組み合わせを用いて、コンピュータまたはこれと類似なデバイスで読むことができる記録媒体内で実現することができる。
【００８３】
図１Ｂ及び図１Ｃを参照すると、開示された移動端末機１００は、バー形態の端末機本体を備えている。ただし、本発明は、これに限られず、ウォッチタイプ、クリップタイプ、グラスタイプまたは２以上のボディが相対移動可能に結合されるフォルダタイプ、フリップタイプ、スライドタイプ、スイングタイプ、旋回タイプなど、様々な構造に適用することができる。移動端末機の特定のタイプに係ることであるが、移動端末機の特定の種類の説明は、他のタイプの移動端末機に一般的に適用することができる。
【００８４】
ここで、端末機本体は、移動端末機１００を少なくとも１つの集合体とみなし、これを示す概念として理解することができる。
【００８５】
移動端末機１００は、外観をなすケース（例えば、フレーム、ハウジング、カバーなど）を含む。図に示されたように、移動端末機１００は、フロントケース１０１とリアケース１０２を含むことができる。フロントケース１０１とリアケース１０２の結合によって形成される内部空間には、各種電子部品が配置される。フロントケース１０１とリアケース１０２との間には、少なくとも１つのミドルケースを追加で配置することができる。
【００８６】
端末機本体の前面には、ディスプレイ部１５１が配置されて情報を出力することができる。図に示されたように、ディスプレイ部１５１のウィンドウ１５１ａは、フロントケース１０１に装着されフロントケース１０１と共に端末機本体の前面を形成することができる。
【００８７】
場合によって、リアケース１０２にも電子部品が装着されてもよい。リアケース１０２に装着可能な電子部品は、着脱可能なバッテリー、識別モジュール、メモリカードなどがある。この場合、リアケース１０２には、装着された電子部品を覆うための背面カバー１０３が着脱可能に結合することができる。したがって、背面カバー１０３がリアケース１０２から分離されると、リアケース１０２に装着された電子部品は、外部に露出される。
【００８８】
図に示されたように、背面カバー１０３がリアケース１０２に結合されると、リアケース１０２の側面の一部が露出することができる。場合によって、前記結合時、リアケース１０２は、背面カバー１０３によって完全に隠れてしまうこともある。一方、背面カバー１０３には、カメラ１２１ｂや音声出力部１５２ｂを外部に露出させるための開口部が備えられてもよい。
【００８９】
このようなケース（１０１、１０２、１０３）は、合成樹脂を射出して形成されるか、金属、例えばステンレス鋼（ＳＴＳ）、アルミニウム（Ａｌ）、チタン（Ｔｉ）などで形成することもできる。
【００９０】
移動端末機１００は、複数のケースが各種電子部品を収容する内部空間を設ける前記の例とは異なり、一つのケースが前記内部空間を設けるように構成することもできる。この場合、合成樹脂または金属が側面から背面につながるユニボディの移動端末機１００が実現されてもよい。
【００９１】
一方、移動端末機１００は、端末機の本体の内部に水が入らないようにする防水部（図示せず）を備えることができる。たとえば、防水部ウィンドウ１５１ａとフロントケース１０１との間、フロントケース１０１とリアケース１０２との間またはリアケース１０２と背面カバー１０３との間に備えられ、これらの結合時の内部空間を密閉する防水部材を含むことができる。
【００９２】
移動端末機１００には、ディスプレイ部１５１、第１及び第２の音響出力部（１５２ａ、１５２ｂ）、近接センサ１４１、照度センサ１４２、光出力部１５４、第１及び第２カメラ（１２１ａ、１２１ｂ）、第１及び第２操作ユニット（１２３ａ、１２３ｂ）、マイクロフォン１２２、インタフェース部１６０などが備えられることができる。
【００９３】
以下においては、図１Ｂ及び図１Ｃに示すように、端末機本体の前面にディスプレイ部１５１、第１音響出力部１５２ａ、近接センサ１４１、照度センサ１４２、光出力部１５４、第１カメラ１２１ａ及び第１操作ユニット１２３ａが配置され、端末機本体の側面に第２操作ユニット１２３ｂ、マイクロフォン１２２及びインタフェース部１６０が配置され、端末機本体の背面に第２音響出力部１５２ｂ及び第２カメラ１２１ｂが配置された移動端末機１００を一例として挙げて説明する。
【００９４】
ただし、これらの構成は、このような配置に限定されるものではない。これらの構成は、必要に応じて、除外または取り替えられるか、他の面に配置されてもよい。たとえば、端末機本体の前面には、第１操作ユニット１２３ａが備えられないことがあり、第２音響出力部１５２ｂは、端末機本体の背面ではなく、端末機本体の側面に備えられることがある。
【００９５】
ディスプレイ部１５１は、移動端末機１００で処理される情報を表示（出力）する。たとえば、ディスプレイ部１５１は、移動端末機１００で実行されるアプリケーションの実行画面情報、またはこのような実行画面情報に応じたＵＩ（User Interface）、ＧＵＩ（Graphic User Interface）情報を表示することができる。
【００９６】
ディスプレイ部１５１は、液晶ディスプレイ（liquid crystal display、ＬＣＤ）、薄膜トランジスタ液晶ディスプレイ（thin film transistor-liquid crystal display、ＴＦＴ ＬＣＤ）、有機発光ダイオード（organic light-emitting diode、ＯＬＥＤ）、フレキシブルディスプレイ（flexible display）、３次元ディスプレイ（３Ｄ display）、電子インクディスプレイ（e-ink display）の中から少なくとも１つを含むことができる。
【００９７】
また、ディスプレイ部１５１は、移動端末機１００の実現形態に応じて、２つ以上存在することができる。この場合、移動端末機１００には、複数のディスプレイ部が一つの面に離隔され又は一体的に配置することができ、また、互いに異なる面にそれぞれ配置することもある。
【００９８】
ディスプレイ部１５１は、タッチ方式によって制御コマンドの入力を受けることができるように、ディスプレイ部１５１のタッチを感知するタッチセンサを含むことができる。
【００９９】
これを用いて、ディスプレイ部１５１に対してタッチが行われると、タッチセンサは、前記タッチを感知し、制御部１８０は、これに基づいて、前記タッチに対応する制御コマンドを発生させることができる。タッチ方式によって入力される内容は、文字または数字であるか、様々なモードでの指示または指定可能なメニュー項目などで有り得る。
【０１００】
一方、タッチセンサは、タッチパターンを備えるフィルム状に構成され、ウィンドウ１５１ａと、ウィンドウ１５１ａの背面上のディスプレイ（図示せず）との間に配置されるか、ウィンドウ１５１ａの背面に直接パターニングされるメタルワイヤになることもある。
【０１０１】
または、タッチセンサは、ディスプレイと一体的に形成することができる。たとえば、タッチセンサは、ディスプレイの基板上に配置されるか、ディスプレイの内部に備えられてもよい。
【０１０２】
このように、ディスプレイ部１５１は、タッチセンサと一緒にタッチスクリーンを形成することができ、この場合に、タッチスクリーンは、ユーザ入力部１２３（図１Ａを参照）で機能させることができる。場合によって、タッチスクリーンは、第１操作ユニット１２３ａの少なくとも一部の機能を代替することができる。
【０１０３】
第１音響出力部１５２ａは、通話音をユーザの耳に伝達させるレシーバ（receiver）として実現することができ、第２音響出力部１５２ｂは、各種アラーム音やマルチメディアの再生音を出力するスピーカー（loud speaker）の形で実現することができる。
【０１０４】
ディスプレイ部１５１のウィンドウ１５１ａには、第１音響出力部１５２ａから発生されるサウンド(sound)の放出のための音響ホールが形成されることができる。ただし、本発明はこれに限定されるものではなく、前記サウンドは構造物との間の組み立て隙間（例えば、ウィンドウ１５１ａとフロントケース１０１との間の隙間）に沿って放出されるように構成することができる。この場合、外観上の音響出力のために独立して形成されるホールが見えないか、隠されて移動端末機１００の外観をさらにシンプルにすることができる。
【０１０５】
光出力部１５４は、イベントの発生時にこれを知らせるための光を出力するように行われる。前記イベントの例としては、メッセージの受信、呼信号の受信、不在着信、アラーム、日程お知らせ、電子メールの受信、アプリケーションを通じた情報の受信などを挙げることができる。制御部１８０は、ユーザのイベントの確認が感知されると、光の出力が終了されるように光出力部１５４を制御することができる。
【０１０６】
第１カメラ１２１ａは、撮影モードまたはビデオ通話モードで画像センサにより得られる静止画または動画の画像フレームを処理する。処理された画像フレームは、ディスプレイ部１５１に表示されることができ、メモリ１７０に記憶することができる。
【０１０７】
第１及び第２操作ユニット（１２３ａ、１２３ｂ）は、移動端末機１００の動作を制御するためのコマンドの入力を受けるために操作されるユーザ入力部１２３の一例として、操作部（manipulating portion）とも通称されてもよい。
【０１０８】
第１及び第２の操作ユニット（１２３ａ、１２３ｂ）は、タッチ、プッシュ、スクロールなどのユーザが触覚を感じながら操作する方式（tactile manner）であれば、どのような方法でも採用することができる。また、第１及び第２操作ユニット（１２３ａ、１２３ｂ）は、近接タッチ（proximity touch）、ホバリング（hovering）タッチなどを通じてユーザの触覚を感じずに操作する方式にも採用することができる。
【０１０９】
本図においては、第１操作ユニット１２３ａがタッチキー（touch key）の場合が例示されるが、本発明がこれに限定されるものではない。たとえば、第１操作ユニット１２３ａは、メカニカルキー（mechanical key）、又は、タッチキーとメカニカルキーとの組み合わせで構成することができる。
【０１１０】
第１及び第２操作ユニット（１２３ａ、１２３ｂ）によって入力される内容は、多様に設定することができる。たとえば、第１操作ユニット１２３ａは、メニュー、溝キー、キャンセル、検索などのコマンドの入力を受け、第２操作ユニット１２３ｂは、第１または第２音響出力部（１５２ａ、１５２ｂ）から出力される音響の音量調整、ディスプレイ部１５１のタッチ認識モードへの切り替えなどのコマンドの入力を受けることができる。
【０１１１】
一方、端末機本体の背面には、ユーザ入力部１２３の他の一例として、背面入力部（図示せず）が備えられることがある。このような背面入力部は移動端末機１００の動作を制御するためのコマンドの入力を受けるために操作されるものであり、入力される内容は、多様に設定することができる。たとえば、電源のオン／オフ、開始、終了、スクロールなどのような命令、第１及び第２音響出力部（１５２ａ、１５２ｂ）から出力される音響の音量調整、ディスプレイ部１５１のタッチ認識モードへの切り替えなどのようなコマンドの入力を受けることができる。背面入力部はタッチ入力、プッシュ入力、またはこれらの組み合わせによる入力が可能な形で実現することができる。
【０１１２】
背面入力部は端末機本体の厚さ方向に前面のディスプレイ部１５１と重畳されるように配置することができる。一例として、ユーザが端末機本体を片手で握ったときに人差し指を用いて容易に操作できるように、背面入力部は端末機本体の背面上端部に配置することができる。ただし、本発明は、必ずしもこれに限定されるものではなく、背面入力部の位置は変更することができる。
【０１１３】
このように端末機本体の背面に背面入力部が備えられる場合、これを用いる新しいタイプのユーザインタフェースが実現されてもよい。また、前述したタッチスクリーンまたは背面入力部が端末機本体の前面に備えられる第１操作ユニット１２３ａの少なくとも一部の機能を代替して、端末機本体の前面に第１操作ユニット１２３ａが配置されない場合、ディスプレイ部１５１をさらに大画面で構成することができる。
【０１１４】
一方、移動端末機１００には、ユーザの指紋を認識する指紋認識センサが備えられることがあり、制御部１８０は、指紋認識センサを介して感知される指紋情報を認証手段として用いることがある。前記指紋認識センサは、ディスプレイ部１５１またはユーザ入力部１２３に内蔵することができる。
【０１１５】
マイクロフォン１２２は、ユーザの音声、その他の音などの入力を受けるように構成される。マイクロフォン１２２は、複数の箇所に備えてステレオ音響の入力を受けるように構成される。
【０１１６】
インタフェース部１６０は、移動端末機１００を外部機器と接続することができる経路となる。たとえば、インタフェース部１６０は、他のデバイス（例えば、イヤホン、外部スピーカー）との接続のための接続端子、近距離通信用のポート（例えば、赤外線ポート（ＩｒＤＡ Ｐｏｒｔ）、ブルートゥースポート（Bluetooth（登録商標） Port）、無線ＬＡＮポート（Wireless ＬＡＮ Port）など）、または移動端末機１００に電源を供給するための電源供給端子のうち、少なくとも１つで有り得る。このようなインタフェース部１６０は、ＳＩＭ（Subscriber Identification Module）またはＵＩＭ（User Identity Module）、情報を記憶するためのメモリカードなどの外装型カードを収容するソケットの形で実現することもある。
【０１１７】
端末機本体の背面には、第２カメラ１２１ｂが配置されてもよい。この場合、第２カメラ１２１ｂは、第１カメラ１２１ａと実質的に反対の撮影方向を有することとなる。
【０１１８】
第２カメラ１２１ｂは、少なくとも１つのラインに沿って配列される複数のレンズを含むことができる。複数のレンズは行列（matrix）の形式で配列することもできる。このようなカメラは、「アレイ（array）カメラ」と命名することができる。第２カメラ１２１ｂがアレイカメラで構成される場合、複数のレンズを用いて、様々な方法で映像を撮影することができ、さらに良い品質の映像を獲得することができる。
【０１１９】
フラッシュ１２４は、第２カメラ１２１ｂに隣接して配置することができる。フラッシュ１２４は、第２カメラ１２１ｂで被写体を撮影する場合に被写体に向けて光を照らすことになる。
【０１２０】
端末機本体には、第２音響出力部１５２ｂを追加で配置することができる。第２音響出力部１５２ｂは、第１音響出力部１５２ａと一緒にステレオ機能を実現することができ、又、通話時スピーカーフォンモードの実現のために用いられることもある。
【０１２１】
端末機本体には、無線通信のための少なくとも１つのアンテナが備えられることがある。アンテナは、端末機本体に内蔵され、又、ケースに形成することができる。たとえば、放送受信モジュール１１１（図１Ａを参照）の一部をなすアンテナは端末機本体から引出し可能に構成することができる。または、アンテナはフィルムタイプで形成されて背面カバー１０３の内側面に付着することもあり、導電性材質を含むケースがアンテナとして機能するように構成することもある。
【０１２２】
端末機本体には、移動端末機１００に電源を供給するための電源供給部１９０（図１Ａを参照）を備える。電源供給部１９０は、端末機本体に内蔵され、又、端末機本体の外部から着脱可能に構成されるバッテリー１９１を含むことができる。
【０１２３】
バッテリー１９１は、インタフェース部１６０に接続される電源ケーブルを介して電源の供給を受けるように構成することができる。また、バッテリー１９１は、無線充電機器を介して無線充電できるように構成することもできる。前記無線充電は、自己誘導方式または共振方式（磁気共鳴方式）によって実現することができる。
【０１２４】
一方、本図では、背面カバー１０３がバッテリー１９１を覆うようにリアケース１０２に結合され、バッテリー１９１の離脱を制限し、バッテリー１９１を外部衝撃や異物から保護するように構成されたことを例示している。バッテリー１９１が端末機本体に着脱可能に構成される場合、背面カバー１０３は、リアケース１０２に着脱可能に結合することができる。
【０１２５】
移動端末機１００には、外観を保護し、又、移動端末機１００の機能を補助または拡張させるアクセサリーを追加することができる。このようなアクセサリーの一例として、移動端末機１００の少なくとも一面を覆うか、または収容するカバーまたはポーチを挙げることができる。カバーまたはポーチは、ディスプレイ部１５１と連動して移動端末機１００の機能を拡張させるように構成することができる。アクセサリーの他の一例として、タッチスクリーンのタッチ入力を補助または拡張するためのタッチペンを挙げることができる。
【０１２６】
移動端末機に備えられた位置情報モジュール１１５は、移動端末機の位置を探知、演算、または識別するためのもので、代表的な例としては、ＧＰＳ（Global Position System）モジュール及びＷｉＦｉ（Wireless Fidelity）モジュールを含むことができる。必要に応じて、位置情報モジュール１１５は、置換または付加的に移動端末機の位置に関するデータを取得するために、無線通信部１１０の他のモジュールのうちいずれかの機能を実行することができる。
【０１２７】
前記ＧＰＳモジュール１１５は、３つ以上の衛星から離れた距離情報と正確な時間情報を算出し、前記算出された情報に三角法を適用することにより、緯度、経度、及び高度に応じた３次元の現在位置情報を正確に算出することができる。現在、３つの衛星を用いて位置と時間情報を算出し、もう他の１つの衛星を用いて前記算出された位置と時間情報の誤差を修正する方法が広く用いられている。また、ＧＰＳモジュール１１５は、現在の位置をリアルタイムで継続算出することにより、速度情報を算出することができる。ただし、室内のように、衛星信号の陰影地帯では、ＧＰＳモジュールを用いて正確に移動端末機の位置を測定することが難しい。これにより、ＧＰＳ方式の測位を補償するために、ＷＰＳ（ＷｉＦｉ Positioning System）が活用されることができる。
【０１２８】
Ｗｉ−Ｆｉ測位システム（ＷＰＳ：ＷｉＦｉ Positioning System）は、移動端末機１００に備えられたＷｉＦｉモジュール及び前記ＷｉＦｉモジュールと無線信号を送信または受信する無線ＡＰ（Wireless Access Point）を用いて、移動端末機１００の位置を追跡する技術として、ＷｉＦｉを利用したＷＬＡＮ（Wireless Local Area Network）ベースの位置測位技術を意味する。
【０１２９】
Ｗｉ−Ｆｉ測位システムは、Ｗｉ−Ｆｉ位置測位サーバ、移動端末機１００、前記移動端末機１００と接続された無線ＡＰ、任意の無線ＡＰ情報が記憶されたデータベースを含むことができる。
【０１３０】
無線ＡＰと接続中の移動端末機１００は、Ｗｉ−Ｆｉ位置測位サーバに位置情報要請メッセージを伝送することができる。
【０１３１】
Ｗｉ−Ｆｉ位置測位サーバは、移動端末機１００の位置情報要請メッセージ（または信号）に基づいて、移動端末機１００と接続された無線ＡＰの情報を抽出する。前記移動端末機１００と接続された無線ＡＰの情報は、移動端末機１００を介して前記Ｗｉ−Ｆｉ位置測位サーバに伝送し、又、無線ＡＰでＷｉ−Ｆｉ位置測位サーバに伝送することができる。
【０１３２】
前記移動端末機１００の位置情報要請メッセージに基づいて、抽出される無線ＡＰの情報はＭＡＣ Ａｄｄｒｅｓｓ、ＳＳＩＤ（Service Set IDentification）、ＲＳＳＩ（Received Signal Strength Indicator）、ＲＳＲＰ（Reference Signal Received Power）、ＲＳＲＱ（ Reference Signal Received Quality）、チャンネル情報、Ｐｒｉｖａｃｙ、Ｎｅｔｗｏｒｋ Ｔｙｐｅ、信号強度（Signal Strength）とノイズ強度（Noise Strength）のうち、少なくとも１つで有り得る。
【０１３３】
Ｗｉ−Ｆｉ位置測位サーバは前記のように、移動端末機１００と接続された無線ＡＰの情報を受信して、あらかじめ構築されたデータベースから移動端末機が接続中の無線ＡＰと対応される無線ＡＰ情報を抽出することができる。このとき、前記データベースに記憶される任意の無線ＡＰの情報はＭＡＣ Ａｄｄｒｅｓｓ、ＳＳＩＤ、チャンネル情報、Ｐｒｉｖａｃｙ、Ｎｅｔｗｏｒｋ Ｔｙｐｅ、無線ＡＰの経緯度座標、無線ＡＰが位置した建物名、階数、屋内詳細位置情報（ＧＰＳ座標利用可能）、ＡＰの所有者の住所、電話番号などの情報で有り得る。このとき、測位過程で移動型ＡＰまたは不法ＭＡＣアドレスを用いて提供される無線ＡＰを測位過程で除去するために、Ｗｉ−Ｆｉ位置測位サーバは、ＲＳＳＩが高い順に所定数の無線ＡＰ情報のみを抽出することもできる。
【０１３４】
以降、Ｗｉ−Ｆｉ位置測位サーバは、データベースから抽出された少なくとも１つの無線ＡＰ情報を用いて移動端末機１００の位置情報を抽出（または分析）することができる。含まれている情報と前記受信された無線ＡＰの情報を比較して、前記移動端末機１００の位置情報を抽出（または分析）する。
【０１３５】
移動端末機１００の位置情報を抽出（または分析）するための方法で、Ｃｅｌｌ−ＩＤ方式、フィンガープリント方式、三角測量方式とランドマーク方式などが活用てもよい。
【０１３６】
Ｃｅｌｌ−ＩＤ方式は、移動端末機が収集した周辺の無線ＡＰの情報の内、信号強度が最も強い無線ＡＰの位置を移動端末機の位置として決定する方法である。実現がシンプルであり、別途の費用がかからず、位置情報を迅速に得ることができるという利点があるが、無線ＡＰの設置密度が低ければ、測位精度が落ちるという短所がある。
【０１３７】
フィンガープリント方式はサービスエリアで参照位置を選定して信号強度情報を収集し、収集した情報に基づいて移動端末機から伝送する信号強度情報を通じて位置を推定する方法である。フィンガープリント方式を用いるためには、予め伝播特性をデータベース化する必要がある。
【０１３８】
三角測量方式は、少なくとも三つの無線ＡＰの座標と移動端末機との間の距離に基づいて移動端末機の位置を演算する方法である。移動端末機と無線ＡＰとの間の距離を測定するために、信号強度を距離情報に変換したり、無線信号が伝達される時間（Time of Arrival、ＴｏＡ）、信号が伝達される時間差（Time Difference of Arrival、ＴＤｏＡ）、信号が伝達される角度（Angle of Arrival、ＡｏＡ）などを用いることができる。
【０１３９】
ランドマーク方式は位置を知っているランドマーク発信器を用いて移動端末機の位置を測定する方法である。
【０１４０】
列挙された方法以外にも、様々なアルゴリズムを、移動端末機の位置情報を抽出（または分析）するための方法として活用することができる。
【０１４１】
このように抽出された移動端末機１００の位置情報は、前記のＷｉ−Ｆｉ位置測位サーバを介して移動端末機１００に伝送されることで、移動端末機１００は、位置情報を取得することができる。
【０１４２】
移動端末機１００は、少なくとも１つの無線ＡＰに接続されることにより、位置情報を取得することができる。このとき、移動端末機１００の位置情報を取得するために要求される無線ＡＰの数は、移動端末機１００が位置された、無線通信環境に応じて多様に変更されることができる。
【０１４３】
以下では、このように構成された移動端末機で実現することができる制御方法に関する実施の形態に対し、添付された図面を参照して、詳述する。本発明は、本発明の精神及び不可欠な特徴を逸脱しない範囲で他の特定の形で具体化されることができることは、当業者に自明である。
【０１４４】
以下、本発明の具体的な実施の形態を説明する。
【０１４５】
図２は、本発明に係る移動端末機の制御方法の一実施の形態に係るフローチャートであり、図３は、本発明に係る移動端末機の制御方法を説明するための図である。
【０１４６】
図２を参照すると、移動端末機の制御部（図１の１８０）は、端末機に備えられたセンシング部（図１の１４０）を介して、少なくとも１つの揺れ動作を感知することができる（Ｓ１１０）。
【０１４７】
制御部は、センシング部を通じて感知したセンシング信号を用いて、端末機の特定の動きを揺れ動作として認識することができる。具体的には、制御部は、端末機のランダムな動きではない、特定パターンの動きを揺れ動作として認識することができる。たとえば、制御部は、設定された時間の範囲内で端末機が特定のパターンの軌跡に沿って動く場合、揺れ動作として認識することができる。
【０１４８】
センシング部は加速度センサ（acceleration sensor）、磁気センサ（magnetic sensor）、重力センサ（G-sensor）、ジャイロスコープセンサ（gyroscope sensor）とモーションセンサ（motion sensor）のうち、少なくとも１つのセンサから構成することができる。制御部は、それぞれのセンサを介して感知したセンシング信号を用いて、揺れ動作を認識し、揺れ動作の方向、強さ、感知回数などを判断することができる。
【０１４９】
制御部（図１の１８０）は、ディスプレイ部（図１の１５１）に表示される画面、揺れ動作の方向と揺れ動作の感知回数のうち、少なくとも１つを考慮して対応する特定の機能を実行し（Ｓ１３０）、特定の機能を実行した結果の画面をディスプレイ部（図１の１５１）に表示することができる（Ｓ１５０）。
【０１５０】
特定の機能は、クーポンまたはイベントを含む情報の提供機能、ランチャー（launcher）アプリケーションの実行機能、コラージュ（collage）アルバムの生成機能、インストールされたアプリケーションの管理機能、ディスプレイ部に表示される画面のうち、少なくとも一部の画面のコピー、整列、記憶機能、コラージュアルバムを生成してアップロードする機能、及び、端末機の実行モードを変更する機能のうち、少なくとも１つを含むことができる。
【０１５１】
制御部は、揺れ動作が感知された場合、ディスプレイ部に表示される画面、揺れ動作の方向、及び揺れ動作の感知回数のうちいずれかを考慮して実行する特定の機能を決定することができる。また、制御部は、ディスプレイ部に表示される画面、揺れ動作の方向、及び揺れ動作の感知回数のうち、複数を用いて実行する特定の機能を決定することができる。
【０１５２】
具体的には、制御部は、ディスプレイ部に表示された画面が、特定アプリケーションの実行画面である場合、ホーム画面の場合、またはロック画面である場合に応じて、互いに異なる機能を実行することができる。また、制御部は、ディスプレイ部に表示された画面が、特定アプリケーションの実行画面である場合、アプリケーションの種類に応じて、または、特定アプリケーションの実行画面の中で、現在ディスプレイ部に表示される画面に応じて、互いに異なる機能を実行することができる。
【０１５３】
制御部は、揺れ動作の方向が横方向である場合と縦方向である場合とを区別して実行する機能を決定することができる。また、制御部は、ディスプレイ部に表示される画面と揺れ動作の方向とを一緒に考慮して、実行する機能を決定することができる。また、制御部は、揺れ動作の感知回数に応じて互いに異なる機能を実行することができる。前記実行する特定の機能を決定する方法は、一実施形態に過ぎず、多様に設定することができる。
【０１５４】
制御部は、特定の機能を実行した結果の画面をディスプレイ部に表示することができ、特定の機能を実行した結果の画面が表示され、揺れ動作が追加で感知された場合、ディスプレイ部に表示された特定の機能を実行した結果の画面と揺れ動作のタイプとを一緒に考慮して、新たに実行する特定の機能を決定することができる。このとき、制御部は、揺れ動作の方向が変更された場合、揺れ動作の感知回数を初期化することができる。
【０１５５】
制御部は、直感的な使用のために、ディスプレイ部に揺れ動作に対応する特定の機能の実行画面を一緒に表示することにより、使用方法をガイドすることができる。
【０１５６】
前記説明した事項以外にも、制御部は、他の要素をさらに考慮して、対応する特定の機能を決定することができる。
【０１５７】
制御部は、ディスプレイ部に表示される画面に含まれた特定のアイテムの特定の入力が受信され、センシング部を通じて揺れ動作が感知された場合、特定の入力をさらに考慮して対応する特定の機能を決定することができる。
【０１５８】
制御部は、ディスプレイ部の表示モードが横方向の表示モードであるか、または縦方向の表示モードであるかをさらに考慮して、対応する特定の機能を決定することができる。
【０１５９】
制御部は、揺れ動作の強さ、すなわち、センシング部で感知した加速度の大きさの平均値に基づいて対応する特定の機能を決定することができる。具体的には、制御部は、揺れ動作の加速度の大きさの平均値が基準値以上であるか、または基準値未満であるかをさらに考慮して対応する特定の機能を決定することができる。
【０１６０】
図３を参照すると、制御部（図１の１８０）は、センシング部（図１の１４０）を介して揺れ動作を感知する場合、揺れ動作に対応する特定の機能を実行し、実行結果画面をディスプレイ部（図１の１５１）に表示することができる。
【０１６１】
制御部は、揺れ動作に対応する特定の機能がクーポンまたはイベント情報の提供機能の場合、ランチャーアプリケーションの実行機能の場合、またはコラージュアルバム生成機能の場合、各特定の機能の実行画面をディスプレイ部にそれぞれ表示することができる。
【０１６２】
具体的には、制御部は、揺れ動作に対応する特定の機能をクーポンまたはイベント情報を提供する機能で設定することができる。制御部は、揺れ動作を受信する場合、クーポンまたはイベント情報（Ｃ１〜Ｃ３）を表示することができる。制御部は、ディスプレイ部がロック画面（Lock Screen）状態で揺れ動作を感知する場合、クーポン、またはイベント情報（Ｃ１〜Ｃ３）をロック画面に表示することができる。制御部は、ディスプレイ部にホーム画面が表示された状態で揺れ動作を感知する場合、ホーム画面にクーポンまたはイベント情報（Ｃ１〜Ｃ３）を表示することができる。また、制御部は、ディスプレイ部がオフ（off）された状態で揺れ動作を感知する場合、ディスプレイ部をオン（on）させた後、ロック画面またはホーム画面上にクーポンまたはイベント情報（Ｃ１〜Ｃ３）を表示することができる。制御部は、揺れ動作が感知された時間情報と位置情報のうち、少なくとも１つの情報に係るクーポンまたはイベント情報を推薦することができる。つまり、制御部は、ディスプレイの状態がロック画面の状態、ホーム画面の状態、及びオフの状態のうちいずれか１つの状態で揺れ動作を感知する場合、揺れ動作が感知された時間情報と位置情報のうちいずれか１つに係るクーポンまたはイベント情報をディスプレイ部に表示することができる。制御部は、揺れ動作が連続的に感知されることによって、揺れ動作が感知されるたびにクーポンまたはイベント情報を変更して推薦することができる。
【０１６３】
また、制御部は、揺れ動作に対応する特定の機能を背景画面とアイコンを変更する機能に設定することができる。制御部は、揺れ動作を受信する場合、背景画面を設定されたテーマ（ＢＧ）の背景画面（wallpaper）、フォント、サウンド、ユーティリティアプリ（Ｉ１乃至Ｉ４）、ウィジェット(Widget)（ｇ１、ｇ２）などのアイコンを設定に応じて変更することができる。制御部は、ディスプレイの状態がロック画面の状態、ホーム画面の状態、及びオフの状態のいずれかの状態で揺れ動作を感知する場合、背景画面とアイコンを設定に応じて変更することができる。制御部は、揺れ動作を感知した時間情報と位置情報のうち、少なくとも1つに係る背景画面とアイコンで画面設定を変更することができる。制御部は、揺れ動作が感知されるたびに背景画面とアイコンのテーマを変更して表示することができる。
【０１６４】
たとえば、制御部は、揺れ動作を感知した時間が午後９時の場合、背景画面とアイコンを夜（night）に関するテーマに推薦することができる。
【０１６５】
また、制御部は、揺れ動作に対応する特定の機能を、コラージュアルバムを生成する機能に設定することができる。制御部は、揺れ動作を感知する場合、写真画像Ｎ個とフレームをランダムに選択して、コラージュアルバムを生成することができる。Ｎ個の写真画像とフレームは、ランダムに選択されたもので、制御部は、揺れ動作が感知されるたびに異なるコラージュアルバムを生成することができる。制御部は、ギャラリーアプリケーションが実行された状態またはギャラリーアプリケーションを選択した状態で、揺れ動作を感知する場合、コラージュアルバムを生成することができる。また、制御部は、ギャラリーアプリケーションに記憶された任意の画像（Ｐ１、Ｐ２、Ｐ３）Ｎ個を選択して、ディスプレイ部の第１領域に表示し、選択可能なアルバムのフレーム（ｆ１乃至ｆ５）をディスプレイ部の第２領域に表示させることができる。制御部は、ユーザによって選択されたフレーム（ｆ１）を用いて、コラージュアルバム（Ａ１）を生成し、コラージュアルバム（Ａ１）をディスプレイ部１５１に表示することができる。つまり、制御部は、揺れ動作が感知された場合、ランダムにコラージュアルバムを生成して、ディスプレイ部に表示したり、コラージュアルバムを生成することができる写真画像とフレームとをユーザが選択できるガイド画面を表示することができる。
【０１６６】
制御部は、揺れ動作に対応する特定の機能をランダムに設定したり、ユーザの選択によって設定することができる。
【０１６７】
制御部は、前記の特定の機能以外にも、端末機にインストールされたアプリケーションの管理、ディスプレイ部に表示された画面の編集、端末機の実行モードの変更などの様々な特定の機能を、揺れ動作に応じて実行することができる。
【０１６８】
図４は、本発明に係る移動端末機の制御方法の第１の実施の形態に係るフローチャートであり、図５〜図７は、本発明に係る移動端末機の制御方法の第１の実施の形態を説明するための図である。第１の実施の形態は、揺れ動作に対応してコラージュアルバムを生成する場合である。
【０１６９】
図４を参照すると、移動端末機の制御部（図１の１８０）は、ギャラリーアプリケーションを実行し、ディスプレイ部（図１の１５１）にギャラリーアプリケーションの実行画面を表示することができる（Ｓ２１０）。
【０１７０】
制御部（図１の１８０）は、ギャラリーアプリーションの実行画面を表示し、端末機の揺れ動作を感知する場合（Ｓ２２０）、ギャラリーアプリケーションに記憶された画像を用いて、コラージュ（collage）アルバムを生成することができる（Ｓ２３０）。
【０１７１】
制御部は、揺れ動作の感知回数がＮ回である場合、ギャラリーアプリケーションに記憶された写真画像のうち、Ｎ個の写真画像を選択し、Ｎ個の写真を配置することができるフレームを選択してコラージュを生成することができる。制御部は、ギャラリーアプリケーションからランダムにＮ個の画像を選択するか、揺れ動作が感知された時間情報及び位置情報のうち、少なくとも1つに関連したＮ個の画像を選択することができる。また、制御部は、Ｎ個の画像を配置することができるアルバムフレームが複数個存在する場合、任意のアルバムフレームを選択することができる。
【０１７２】
制御部（図１の１８０）は、生成されたコラージュアルバムをディスプレイ部（図１の１５１）に表示することができる。制御部は、コラージュアルバムが表示された状態で揺れ動作を追加で感知する場合、揺れ動作の感知回数に応じて、ギャラリーアプリケーションから選択する写真数、フレーム、写真の配置順序及び選択する写真のうち、少なくとも１つを変更してコラージュアルバムを再生成することができる。
【０１７３】
図５を参照すると、移動端末機の制御部（図１の１８０）は、ギャラリーアプリケーションを実行して記憶された写真画像（Ｐ１乃至Ｐ２０）が表示された状態でセンシング部（図１の１４０）を介してＮ回の揺れを感知する場合、Ｎ個の画像を抽出してコラージュを作成することができる。
【０１７４】
具体的には、制御部は、ギャラリーアプリケーションの実行画面が表示された状態で３回の揺れ動作を感知する場合、ギャラリーアプリケーションに記憶された３枚の写真画像（Ｐ２、Ｐ５、Ｐ９）を抽出し、特定のアルバムフレーム（ｆ１）を選択してコラージュアルバム（Ａ１）を生成することができる。この時、写真画像（Ｐ２、Ｐ５、Ｐ９）と、特定のアルバムフレーム（ｆ１）は、設定されたルールに基づいて選択されるか、ランダムに選択することができる。
【０１７５】
制御部は、ギャラリーアプリケーションの実行画面が表示された状態の揺れ動作の感知回数に応じて、選択する写真画像の数を変更することができる。
【０１７６】
図６を参照すると、移動端末機の制御部（図１の１８０）は、ディスプレイ部１５１に示されている特定のフォルダ（Folder1）のタッチ入力を受信し、揺れ動作を感知する場合、特定のフォルダ（Folder1）に記憶された写真画像のうち、Ｎ個の写真を抽出して、コラージュアルバムを生成することができる。
【０１７７】
制御部は、Ｆｏｌｄｅｒ１のタッチ入力を受信し、４回の揺れ動作を感知する場合、Ｆｏｌｄｅｒ１に記憶された２０枚の写真画像のうち、４枚の写真画像を抽出して、コラージュアルバム（Ａ１）を生成してＦｏｌｄｅｒ１に記憶することができる。
【０１７８】
図７を参照すると、移動端末機の制御部（図１の１８０）は、コラージュアルバム（Ａ１）が代表画像として表示されたＦｏｌｄｅｒ１のタッチ入力を受信して揺れ動作を感知する場合、代表画像として表示されたコラージュアルバム（Ａ１）のフレームを変更して、新しいコラージュアルバム（Ａ２）を生成して表示することができる。
【０１７９】
具体的には、制御部は、アルバムのフレームを変更し、コラージュアルバム（Ａ１）に含まれた写真画像（Ｐ１、Ｐ４、Ｐ６、Ｐ２０）の配置を変更したアルバムフレームに対応するように変更して、新しいコラージュアルバム（Ａ２）を生成することができる。
【０１８０】
同様の方法で、制御部は、Ｆｏｌｄｅｒ１のタッチ入力と揺れ動作を感知する場合、代表画像として表示されたコラージュアルバム（Ａ２）のフレームを変更して、新しいコラージュアルバムを生成することができる。
【０１８１】
図８は、本発明に係る移動端末機の制御方法の第２の実施の形態に係るフローチャートであり、図９〜図１０は、本発明に係る移動端末機の制御方法の第２の実施の形態を説明するための図である。第２の実施の形態は、揺れ動作を感知する場合、特定の条件に基づいてアプリ（Ａｐｐ）をフィルタリングする場合である。
【０１８２】
図８を参照すると、移動端末機の制御部（図１の１８０）は、ディスプレイ部（図１の１５１）にアプリ管理アプリケーションの実行画面を表示することができる（Ｓ３１０）。制御部は、アプリ管理アプリケーションを実行すると、端末にインストールされたアプリのリストを表示したり、またはアプリのアイコンを実行画面に表示することができる。
【０１８３】
制御部は、Ｎ回揺れ動作を感知する場合（Ｓ３２０）、インストールされたアプリを特定の基準に基づいてフィルタリングし（Ｓ３３０）、フィルタリングされたアプリのリストを表示することができる（Ｓ３４０）。制御部は、インストールされたアプリをフィルタリングする特定の基準を揺れ動作の感知回数に対応して予め設定することができる。
【０１８４】
図９を参照すると、制御部（図１の１８０）は、ディスプレイ部１５１にインストールされたアプリのリストを表示し、アプリのリストが表示された状態で、揺れ動作を感知する場合、揺れ動作の感知回数に応じて、特定の基準でアプリのリストをフィルタリングすることができる。
【０１８５】
たとえば、制御部は、１回の揺れ動作を感知した場合、１ヶ月の間、未実行のアプリ（Ａｐｐ２、Ａｐｐ５、Ａｐｐ６、Ａｐｐ１２など）をフィルタリングしてディスプレイ部１５１に表示し、２回の揺れ動作を感知した場合、２ヶ月の間、未実行のアプリ（Ａｐｐ５、Ａｐｐ１２、Ａｐｐ１６）をフィルタリングしてディスプレイ部１５１に表示することができる。このとき、２回の揺れ動作は連続的に感知されるか、または１次フィルタの結果がディスプレイ部に表示された後に追加で感知されることができる。
【０１８６】
図１０を参照すると、制御部（図１の１８０）は、インストールされたアプリのアイコンが実行画面に表示され、揺れ動作を感知する場合、特定の基準以上実行されたアプリをフィルタリングして表示することができる。
【０１８７】
たとえば、制御部は、アプリのアイコンが実行画面に表示された状態で１回の揺れ動作を感知した場合、５回以上実行されたアプリ（Ａｐｐ２、Ａｐｐ３、Ａｐｐ５、Ａｐｐ７、Ａｐｐ８など）をフィルタリングしてディスプレイ部１５１に表示し、２回の揺れ動作を感知した場合、１０回以上実行されたアプリ（Ａｐｐ３、Ａｐｐ７、Ａｐｐ８、Ａｐｐ９、Ａｐｐ１１）をフィルタリングしてディスプレイ部１５１に表示することができる。このとき、２回の揺れ動作は連続的に感知されるか、１次フィルタリングの結果がディスプレイ部に表示された後に追加で感知されることができる。
【０１８８】
制御部は、揺れ動作の感知に応じたフィルタリング基準をポップアップウィンドウ（Ｗ１）に表示することができ、揺れ動作の感知回数をポップアップウィンドウ（Ｗ１）に共に表示することにより、ユーザにガイドを提供することができる。
【０１８９】
前記の場合、制御部は、揺れ動作の感知回数に応じて、インストールされたアプリケーションの未使用期間または実行回数をフィルタリング基準に設定する実施の形態を具体的に説明したが、メモリ使用量、バッテリー消費量などをフィルタ基準として設定することができる。
【０１９０】
図１１は、本発明に係る移動端末機の第３の実施の形態に係るフローチャートであり、図１２〜図１４は、本発明に係る移動端末機の第３の実施の形態を説明するための図である。第３の実施の形態は、揺れ動作を感知する場合、クーポンまたはイベント情報を提供する場合である。
【０１９１】
図１１を参照すると、移動端末機の制御部（図１の１８０）は、ディスプレイ部（図１の１５１）にロック画面（lock screen）を表示し（Ｓ４１０）、Ｎ回揺れ動作を感知した場合（Ｓ４２０）、クーポンまたはイベント情報をフィルタリングして（Ｓ４３０）、ディスプレイ部に表示することができる（Ｓ４４０）。
【０１９２】
制御部は、ディスプレイ部がオフ（off）され、センシング部を通じて揺れ動作を感知する場合、ディスプレイ部をオン（on）し、ロック画面にクーポンまたはイベント情報を表示することができる。制御部は、揺れ動作を感知する場合、クーポンまたはイベント情報を提供する特定の機能をバックグラウンドで実行し、ディスプレイ部のロック画面にクーポンまたはイベント情報を表示することができる。制御部は、揺れ動作が感知された時間情報及び位置情報のうち、少なくとも１つを用いて推薦するクーポンまたはイベント情報をフィルタリングすることができる。
【０１９３】
図１２を参照すると、制御部（図１の１８０）は、ディスプレイ部のロック画面の状態で、揺れ動作を感知する場合、クーポン、またはイベント情報（Ｃ１〜Ｃ３）をディスプレイ部１５１のロック画面に表示することができる。
【０１９４】
制御部は、クーポンまたはイベント情報（Ｃ１〜Ｃ３）選択時、揺れ動作が感知された時点の時間情報または位置情報を用いて、関連したクーポンまたはイベント情報（Ｃ１〜Ｃ３）のみをフィルタリングして提供することができる。
【０１９５】
制御部は、揺れ動作の感知回数に応じて表示するクーポンまたはイベントのカテゴリ数を決定することができる。たとえば、制御部が３回の揺れ動作を感知した場合、ＰＬＡＹ（Ｃ１）、ＥＡＴ（Ｃ２）及びＢＵＹ（Ｃ３）の３つのカテゴリのクーポンまたはイベントを提供することができる。
【０１９６】
図１３を参照すると、制御部（図１の１８０）は、ディスプレイ部１５１にホーム画面が表示され、揺れ動作を感知する場合、ランチャーアプリケーションを実行して、ホーム画面に表示された背景画面のテーマ（ＢＧ）、フォント、サウンド、ユーティリティアプリ（Ｉ１乃至Ｉ４）、ウィジェット（ｇ１、ｇ２）のアイコンを設定された第１基準に基づいて変更することができる。
【０１９７】
制御部は、ホーム画面の背景画面のテーマ（ＢＧ）、フォント、サウンド、ユーティリティアプリ（Ｉ１乃至Ｉ４）、ウィジェット（ｇ１、ｇ２）のアイコンを設定された基準に応じて変更し、追加の揺れ動作を感知する場合、ランチャーアプリケーションを再実行して、ホーム画面に表示された背景画面のテーマ（ＢＧ）、フォント、サウンド、ユーティリティアプリ（Ｉ１乃至Ｉ４）、ウィジェット（ｇ１、ｇ２）のアイコンを設定された第２基準に基づいて変更することができる。
【０１９８】
したがって、ユーザは、ホーム画面が表示された状態で端末機を振る動作を行うことにより、端末機の全体のテーマ、サウンド、フォント、アイコンなどを容易に変更することができる。
【０１９９】
図１４を参照すると、制御部（図１の１８０）は、検索関連のアプリケーションの実行画面を表示して揺れ動作を感知する場合、ディスプレイ部に表示される画面のうちの少なくとも一部の画面の編集機能を実行することができる。
【０２００】
制御部は、検索関連のアプリケーションの実行画面が表示された状態で揺れ動作を感知する場合、特定の領域のコンテンツを選択し、編集メニューをポップアップウィンドウ（Ｗ１）に表示することができる。制御部は、さらに揺れ動作を感知する場合、選択されたコンテンツを全領域に変更し、編集メニューをポップアップウィンドウ（Ｗ１）に表示することができる。また、制御部は、全体の領域が選択された状態で、追加で揺れ動作を感知する場合、選択された領域全体をコピーしてメモ帳に記憶し、メモ帳に記憶された内容をディスプレイ部１５１の一部領域（Ｗ）に表示することができる。
【０２０１】
図１５は、本発明に係る移動端末機の第４の実施の形態に係るフローチャートであり、図１６〜図１９は、本発明に係る移動端末機の第４の実施の形態を説明するための図である。第４の実施の形態は、揺れ動作の方向に応じて、互いに異なる特定の機能を実行する実施の形態である。
【０２０２】
図１５を参照すると、移動端末機の制御部（図１の１８０）は、コラージュアルバムを表示し（Ｓ５１０）、揺れ動作の方向に沿って（Ｓ５２０）、コラージュアルバムを編集して（Ｓ５３０）、ディスプレイ部に表示することができる（Ｓ５４０）。
【０２０３】
前述したように、制御部は、ギャラリーアプリケーションの実行画面が表示された状態で揺れ動作を受信する場合、コラージュアルバムを生成することができる。また、制御部は、ユーザの選択によって特定の写真画像と、特定のフレームを選択して、コラージュアルバムを生成することができる。
【０２０４】
制御部は、コラージュアルバムが表示された状態で揺れ動作を感知する場合、揺れ動作の方向に沿ってコラージュアルバムを構成する写真画像、フレーム、写真の配置方法のうち、少なくとも１つを変更して、新しいコラージュアルバムを生成することができる。
【０２０５】
図１６を参照すると、制御部（図１の１８０）は、コラージュアルバム（Ａ１）をディスプレイ部１５１に縦方向に表示した状態で横方向の揺れ動作を感知した場合、フレームを変更して、新しいコラージュアルバム（Ａ２）を生成することができる。
【０２０６】
制御部は、Ｐ２、Ｐ５、Ｐ９の３つの写真画像とｆ１フレームで構成されたコラージュアルバム（Ａ１）をディスプレイ部１５１に表示することができる。制御部は、生成されたコラージュアルバム（Ａ１）をディスプレイ部１５１の第１領域に表示し、複数のフレーム（ｆ１乃至ｆ４）をディスプレイ部１５１の第２領域に表示することができる。
【０２０７】
制御部は、揺れ動作の方向が横方向である場合コラージュアルバム（Ａ１）のフレームを変更して、新しいコラージュアルバム（Ａ２）を生成することができる。制御部は、揺れ動作の感知回数に応じて、コラージュアルバムのフレームを決定することができ、新しいコラージュアルバム（Ａ２）が表示された状態で、追加で横方向の揺れ動作を感知する場合、コラージュアルバムのフレームを別のフレームに変更することができる。
【０２０８】
図１７を参照すると、制御部（図１の１８０）は、コラージュアルバム（Ａ１）をディスプレイ部１５１に縦方向に表示した状態で縦方向の揺れ動作を検出した場合は、写真画像を変更して、新しいコラージュアルバム（Ａ２）を生成することができる。
【０２０９】
制御部は、Ｐ２、Ｐ５、Ｐ９の３つの写真画像とｆ１フレームで構成されたコラージュアルバム（Ａ１）をディスプレイ部１５１に表示することができる。制御部は、生成されたコラージュアルバム（Ａ１）をディスプレイ部１５１の第１領域に表示し、複数のフレーム（ｆ１乃至ｆ４）をディスプレイ部１５１の第２領域に表示することができる。
【０２１０】
制御部は、揺れ動作の方向が縦方向である場合、コラージュアルバム（Ａ１）の写真画像をＰ２、Ｐ５、Ｐ９からＰ１、Ｐ３、Ｐ１０に変更して、新しいコラージュアルバム（Ａ２）を生成することができる。制御部は、揺れ動作の検出回数に応じて設定されたルールに基づいてコラージュアルバムの写真画像を決定することができ、新しいコラージュアルバム（Ａ２）が表示された状態で、追加で縦方向の揺れ動作を検出した場合、コラージュアルバムの写真画像を他の写真画像に変更することができる。
【０２１１】
図１８を参照すると、制御部（図１の１８０）は、コラージュアルバム（Ａ１）をディスプレイ部１５１に横方向に表示した状態で横方向の揺れ動作を感知した場合、選択された編集メニューのレベルを変更して新しいコラージュアルバム（Ａ２）を生成することができる。
【０２１２】
制御部は、Ｐ２、Ｐ５、Ｐ９の３つの写真画像とｆ１フレームで構成されたコラージュアルバム（Ａ１）をディスプレイ部１５１の第１領域に表示し、複数の編集メニュー（ｍ１乃至ｍ４）をディスプレイ部１５１の第２領域に表示することができる。
【０２１３】
制御部は、揺れ動作の方向が横方向である場合、選択した編集メニュー（ｍ１）のレベルを変更してコラージュアルバム（Ａ１）を編集して、新しいコラージュアルバム（Ａ２）を生成することができる。制御部は、横方向の揺れ動作の感知回数に応じて、選択された編集メニューのレベルを追加で変更して、新しいコラージュアルバムを生成することができる。
【０２１４】
図１９を参照すると、制御部（図１の１８０）は、コラージュアルバム（Ａ１）をディスプレイ部１５１に横方向に表示した状態で縦方向の揺れ動作を感知する場合、選択された編集メニューを変更し、変更された編集メニューが適用された新しいコラージュアルバム（Ａ２）を生成することができる。
【０２１５】
制御部は、Ｐ２、Ｐ５、Ｐ９の３つの写真画像とｆ１フレームで構成されたコラージュアルバム（Ａ１）をディスプレイ部１５１の第１領域に表示し、複数の編集メニュー（ｍ１乃至ｍ４）をディスプレイ部１５１の第２領域に表示することができる。
【０２１６】
制御部は、揺れ動作の方向が縦方向である場合、選択した編集メニュー（ｍ１）を、他の編集メニュー（ｍ２）に変更して、変更された編集メニュー（ｍ２）をコラージュアルバム（Ａ１）に適用して、新しいコラージュアルバム（Ａ２）を生成することができる。制御部は、縦方向の揺れ動作の感知回数に応じて変更された編集メニューを他の編集メニューに変更することができる。また、制御部は、編集メニューを変更した後、横方向の揺れ動作を感知する場合、変更された編集メニューのレベルを追加で変更して、変更された編集メニューが適用された新しいコラージュアルバムを生成することができる。
【０２１７】
したがって、ユーザは、コラージュアルバムの表示方向を決定し、コラージュアルバムが表示された状態で、横方向または縦方向に端末機を振って所望するフレーム、写真画像、フィルタ、明るさ、色などを含むコラージュアルバムを生成することができる。
【０２１８】
図２０は、本発明に係る移動端末機の第５の実施の形態を説明するためのフローチャートであり、図２１〜図２５は、本発明に係る移動端末機の第５の実施の形態を説明するための図である。第５の実施の形態は、揺れ動作の強さに応じて、互いに異なる特定の機能を実行する実施の形態である。
【０２１９】
図２０を参照すると、移動端末機の制御部（図１の１８０）は、クーポンまたはイベント情報をディスプレイ部（図１の１５１）に表示した状態で（Ｓ６１０）、揺れ動作を受信する場合、揺れ動作の方向を感知することができる（Ｓ６２０）。
【０２２０】
制御部（図１の１８０）は、揺れ動作の方向に応じてクーポンまたはイベント情報を他の基準にフィルタリングして提供することができる（Ｓ６３０、Ｓ６４０）。
【０２２１】
図２１〜図２３を参照すると、制御部（図１の１８０）は、揺れ動作の方向に沿って端末機の現在の位置情報に基づいて特定の位置情報と関連付けられたクーポンまたはイベント情報をフィルタリングして提供することができる。
【０２２２】
図２１を参照すると、端末機を所持しているユーザは、同心円（Ｓ１、Ｓ２）の中心領域（以下、「端末機の現在の位置」という）に画面上部の方向を眺めて立っている場合を仮定する。
【０２２３】
制御部は、揺れ動作を感知する場合、端末機の現在の位置情報を用いて、設定された半径内（Ｓ２）のクーポンまたはイベント情報をディスプレイ部に表示することができる。
【０２２４】
図２２を参照すると、制御部（図１の１８０）は、横方向または縦方向の揺れ動作に応じて端末機の現在の位置情報に基づいて横方向の位置情報に係るクーポンまたはイベント情報をフィルタリングして提供したり、または縦方向の位置情報に係るクーポンまたはイベント情報をフィルタリングして提供することができる。
【０２２５】
具体的に、制御部は、現在の位置から横方向の揺れ動作を感知する場合、Ｌ領域の位置情報に係るクーポンまたはイベント情報（ＰＬＡＹ（１）、ＥＡＴ（２）、ＢＵＹ（３））をフィルタリングしてディスプレイ部に表示することができる。また、制御部は、現在の位置から縦方向の揺れ動作を感知する場合、Ｖ領域の位置情報に係るクーポンまたはイベント情報（ＰＬＡＹ（１）、ＥＡＴ（２））をフィルタリングしてディスプレイ部に表示することができる。
【０２２６】
図２３を参照すると、制御部（図１の１８０）は、横方向または縦方向の揺れ動作に応じて端末機の現在の位置情報に基づいて、第１半径の内部領域（Ｓ１）または第２半径の内部領域（Ｓ２）の位置情報と関連付けられたクーポンまたはイベント情報をフィルタリングして提供することができる。
【０２２７】
具体的に、制御部は、現在の位置から横方向の揺れ動作を感知する場合、Ｓ１領域の位置情報に係るクーポンまたはイベント情報（ＰＬＡＹ（１）、ＥＡＴ（２）、ＢＵＹ（２））をフィルタリングしてディスプレイ部に表示することができる。また、制御部は、現在の位置から縦方向の揺れ動作を検出した場合、Ｓ２領域の位置情報に係るクーポンまたはイベント情報（ＰＬＡＹ（２）、ＥＡＴ（４）、ＢＵＹ（３））をフィルタリングしてディスプレイ部に表示することができる。
【０２２８】
図２４を参照すると、制御部（図１の１８０）は、カメラ撮影モードで揺れ動作を感知した場合、揺れ動作の方向に沿って横方向または縦方向のパノラマ撮影モードにカメラの設定を変更することができる。
【０２２９】
制御部は、カメラの撮影モードが設定され、ディスプレイ部１５１にプレビュー画面（Ｐ１）が表示された状態で横方向の揺れ動作を受信した場合、横方向のパノラマ撮影モードにカメラの設定を変更して、カメラの移動に応じて、横方向のパノラマ画像（Ｐ１、Ｐ２など）を生成することができる。
【０２３０】
また、制御部は、カメラの撮影モードが設定され、ディスプレイ部１５１にプレビュー画面（Ｐ１）が表示された状態で縦方向の揺れ動作を受信する場合、縦方向のパノラマ撮影モードにカメラの設定を変更し、カメラの移動に応じて、縦方向のパノラマ画像（Ｐ１、Ｐ２など）を生成することができる。
【０２３１】
図２５を参照すると、制御部（図１の１８０）は、ディスプレイ部（図１の１５１）がオフ（off）された状態で揺れ動作を感知する場合、揺れ動作の方向に応じて、ゲストモードまたはノーマルモードのいずれかの動作モードを設定することができる。
【０２３２】
具体的には、制御部は、ディスプレイ部がオフされた状態において横方向の揺れ動作を受信し、ロック画面が解除された場合、ゲストモードで進入し、縦方向の揺れ動作を受信して、ロック画面が解除された場合、通常モードに進入することができる。
【０２３３】
図２６は、本発明に係る移動端末機の第６の実施の形態を説明するためのフローチャートであり、図２７〜図２９は、本発明に係る移動端末機の第６の実施の形態を説明するための図である。
【０２３４】
図２６を参照すると、移動端末機の制御部（図１の１８０）は、クーポンまたはイベント情報に係る画面をディスプレイ部（図１の１５１）に表示し（Ｓ７１０）、揺れ動作を感知することができる。
【０２３５】
制御部は、揺れ動作を受信した場合、揺れ動作の加速度を感知することができ（Ｓ７２０）、感知された加速度に応じてクーポンまたはイベント情報をフィルタリングして表示することができる（Ｓ７３０、Ｓ７４０）。
【０２３６】
図２７を参照すると、制御部（図１の１８０）は、端末機の現在の位置情報に基づいてクーポンまたはイベント情報を提供する領域をディスプレイ部１５１に表示して、揺れ動作を感知することができる。
【０２３７】
制御部は、揺れ動作の加速度の平均値を基準値と比較して、揺れ動作の強度が強い場合と揺れ動作の強度が弱い場合に分けることができる。
【０２３８】
図２８を参照すると、制御部（図１の１８０）は、揺れ動作の強さに応じてクーポンまたはイベント情報をフィルタリングする基準位置情報を異なって設定することができる。
【０２３９】
具体的には、制御部は、揺れ動作の強度が弱い場合、第１半径以内の領域（図２１のＳ１）の位置情報に係るクーポンまたはイベント情報（ＰＬＡＹ（１）、ＥＡＴ（２）、ＢＵＹ（２））をフィルタリングして提供し、揺れ動作の強度が強い場合、第２半径以内の領域（図２１のＳ２）の位置情報に係るクーポンまたはイベント情報（ＰＬＡＹ（２）、ＥＡＴ（４）、ＢＵＹ（３））をフィルタリングして提供することができる。
【０２４０】
図２９を参照すると、制御部（図１の１８０）は、音楽の再生に係るアプリケーションの実行画面が表示され、揺れ動作を感知した場合、揺れ動作の強さに応じて、再生音楽リストに含まれた音楽をフィルタリングして表示することがことができる。
【０２４１】
具体的には、制御部は、揺れ動作の強度が強い場合は、再生音楽リスト中のビットが設定値以上である音楽をフィルタリングしてディスプレイ部１５１に表示し、揺れ動作の強度が弱い場合は、再生音楽リストの内のビットが設定値未満の音楽をフィルタリングしてディスプレイ部１５１に表示することができる。
【０２４２】
したがって、本発明に係れば、端末機の揺れ動作の様々なタイプに応じて、さまざまな機能を実行して、結果画面を提供することにより、単純な方法で端末機を操作することができ、ユーザの興味を誘発することができる。
【０２４３】
前述した本発明は、プログラムが記録された媒体にコンピュータが読み取り可能なコードとして実現することが可能である。コンピュータが読み取り可能な媒体は、コンピュータシステムによって読み取られることができるデータが記憶されるすべての種類の記録装置を含む。コンピュータが読み取られる媒体の例としては、ＨＤＤ（Hard Disk Drive）、ＳＳＤ（Solid State Disk）、ＳＤＤ（Silicon Disk Drive）、ＲＯＭ、ＲＡＭ、ＣＤ−ＲＯＭ、磁気テープ、フロッピー（登録商標）ディスク、光データ記憶装置などがあり、また、キャリアウェーブ（例えば、インターネットを通じた伝送）の形で実現されるものも含まれる。また、前記コンピュータは、端末機の制御部１８０を含むこともできる。したがって、前記詳細な説明は、すべての面で制限的に解釈してはならず、例示的なものとみなされるべきである。本発明の範囲は、添付された請求項の合理的解釈によって決定されるべきであり、本発明の等価的範囲内でのすべての変更は、本発明の範囲に含まれる。
【符号の説明】
【０２４４】
１００    移動端末機
１１０    無線通信部
１２０    入力部
１４０    センシング部
１５０    出力部
１６０    インタフェース部
１７０    メモリ
１８０    制御部
１９０    電源供給部
【図１Ａ】
2017529636.tif 000003
【図１Ｂ】
2017529636.tif 000004
【図１Ｃ】
2017529636.tif 000005
【図２】
2017529636.tif 000006
【図３】
2017529636.tif 000007
【図４】
2017529636.tif 000008
【図５】
2017529636.tif 000009
【図６】
2017529636.tif 000010
【図７】
2017529636.tif 000011
【図８】
2017529636.tif 000012
【図９】
2017529636.tif 000013
【図１０】
2017529636.tif 000014
【図１１】
2017529636.tif 000015
【図１２】
2017529636.tif 000016
【図１３】
2017529636.tif 000017
【図１４】
2017529636.tif 000018
【図１５】
2017529636.tif 000019
【図１６】
2017529636.tif 000020
【図１７】
2017529636.tif 000021
【図１８】
2017529636.tif 000022
【図１９】
2017529636.tif 000023
【図２０】
2017529636.tif 000024
【図２１】
2017529636.tif 000025
【図２２】
2017529636.tif 000026
【図２３】
2017529636.tif 000027
【図２４】
2017529636.tif 000028
【図２５】
2017529636.tif 000029
【図２６】
2017529636.tif 000030
【図２７（ａ）】
2017529636.tif 000031
【図２７（ｂ）】
2017529636.tif 000032
【図２８（ａ）】
2017529636.tif 000033
【図２８（ｂ）】
2017529636.tif 000034
【図２９】
2017529636.tif 000035
【国際調査報告】
2017529636.tif 000036
2017529636.tif 000037